(57)【要約】セルラ通信システムにおいて分散型基地局装置の中央ユニットが、分散型基地局装置の分散ユニットに、分散型基地局装置の分散ユニットに現在の分散ユニット構成を提供することを要求するためのＩＥを含む第１のメッセージを送信する方法が提示される。中央ユニットは、分散型基地局装置の分散ユニットから、第１のメッセージに応答して送信される第２のメッセージ内における現在の分散ユニット構成についての構成情報を受信する。【選択図】図５
2021528019.tif 000002
【特許請求の範囲】
【請求項１】
セルラ通信システムにおいて分散型基地局装置の中央ユニットにより行われる方法であって、
ＵＥ（Ｕｓｅｒ  Ｅｑｕｉｐｍｅｎｔ：ユーザ装置）にサーブする前記分散型基地局装置の分散ユニットに、前記分散型基地局装置の分散ユニットに現在の分散ユニット構成を提供することを要求するためのＩＥ（Ｉｎｆｏｒｍａｔｉｏｎ  Ｅｌｅｍｅｎｔ：情報要素）を含む第１のメッセージを送信することと、
前記分散型基地局装置の分散ユニットから、前記第１のメッセージに応答して送信される第２のメッセージ内における前記現在の分散ユニット構成についての構成情報を受信することと、を含む方法。
【請求項２】
前記第１のメッセージは要求メッセージを含み、前記第２のメッセージは当該要求メッセージに応答するための特定の応答メッセージを含む、請求項１記載の方法。
【請求項３】
前記要求メッセージは、ＵＥコンテキストの変更を要求するためのＵＥコンテキスト変更要求（ＵＥ  ｃｏｎｔｅｘｔ  ｍｏｄｉｆｉｃａｔｉｏｎ  ｒｅｑｕｅｓｔ）メッセージを含み、前記応答メッセージは、当該要求メッセージに応答するための対応のＵＥコンテキスト変更応答（ＵＥ  ｃｏｎｔｅｘｔ  ｍｏｄｉｆｉｃａｔｉｏｎ  ｒｅｓｐｏｎｓｅ）メッセージを含む、請求項２記載の方法。
【請求項４】
前記ＵＥコンテキスト変更要求メッセージと前記対応のＵＥコンテキスト変更応答メッセージとは、前記分散型基地局装置の中央ユニットと分散ユニットとの間のインターフェースに固有のＡＰ（Ａｐｐｌｉｃａｔｉｏｎ  Ｐｒｏｔｏｃｏｌ：アプリケーションプロトコル）のメッセージであり、オプションとして、前記ＵＥコンテキスト変更要求メッセージと前記対応のＵＥコンテキスト変更応答メッセージとは、Ｆ１ＡＰのメッセージである、請求項３記載の方法。
【請求項５】
前記分散型基地局装置の分散ユニットに前記現在の分散ユニット構成を提供することを要求するための前記ＩＥは、ＤＵ構成照会（ＤＵ  ｃｏｎｆｉｇｕｒａｔｉｏｎ  ｑｕｅｒｙ）ＩＥを含む、請求項１乃至４のうち何れか１項記載の方法。
【請求項６】
前記分散型基地局装置の分散ユニットに前記現在の分散ユニット構成を提供することを要求するための前記ＩＥは、前記分散ユニットに前記現在の分散ユニット構成を提供することを要求するために「ｔｒｕｅ」に設定された単一ビットＩＥである、請求項１乃至５のうち何れか１項記載の方法。
【請求項７】
前記第２のメッセージで受信された前記構成情報は、前記第２のメッセージ内の、分散ユニットから中央ユニットへの専用のコンテナＩＥであるＤＵ−ＣＵコンテナ（ＤＵ  ｔｏ  ＣＵ  ｃｏｎｔａｉｎｅｒ）ＩＥに含まれる、請求項１乃至６のうち何れか１項記載の方法。
【請求項８】
前記第２のメッセージで受信された前記構成情報は、前記ＤＵ−ＣＵコンテナＩＥ内の少なくとも１つの更なるＩＥに含まれる、請求項７記載の方法。
【請求項９】
前記ＤＵ−ＣＵコンテナＩＥ内の前記少なくとも１つの更なるＩＥは、セルグループ構成ＩＥと測定ギャップ構成ＩＥのうちの少なくとも１つを含む、請求項８記載の方法。
【請求項１０】
前記第２のメッセージで受信された前記構成情報は、前記セルグループ構成情報と前記測定ギャップ構成情報のうちの少なくとも１つを含む、請求項１乃至９のうち何れか１項記載の方法。
【請求項１１】
前記ＵＥコンテキストを更なる分散ユニットに変更することを決定することを更に含み、前記第１のメッセージの送信は前記決定に従って行われる、請求項１乃至１０のうち何れか１項記載の方法。
【請求項１２】
前記分散型基地局装置でＵＥコンテキストを変更するための要求を更なる基地局装置から受信することを更に含み、前記第１のメッセージの送信は前記更なる基地局装置から前記要求を受信した後に行われる、請求項１乃至１０のうち何れか１項記載の方法。
【請求項１３】
前記更なる基地局装置でデルタ構成シグナリングをサポートするために現在のセカンダリセルグループ構成を照会するための要求を前記更なる基地局装置から受信することを更に含む、請求項１乃至１０のうち何れか１項記載の方法。
【請求項１４】
前記更なる基地局装置は、第４世代４Ｇ標準に従って動作する４Ｇ基地局ｅＮＢを含む、請求項１２又は１３記載の方法。
【請求項１５】
前記方法は前記ＵＥにサーブする前記分散ユニットを変更する手順の一部として行われ、前記第１のメッセージが送信される前記分散ユニットは、前記分散ユニットを変更する手順におけるソース分散ユニットであり、前記更なる分散ユニットはターゲット分散ユニットである、請求項１１乃至１４のうち何れか１項記載の方法。
【請求項１６】
前記分散型基地局装置の前記更なる分散ユニットに、前記受信した構成情報を含む第３のメッセージを送信することと、前記更なる分散ユニットから、前記更なる分散ユニットについての分散構成情報を含む第４のメッセージを受信することとを更に含み、前記更なる分散ユニットについての前記分散構成情報は、前記第３のメッセージで送信された前記構成情報と比較した前記構成情報の変化を表すデルタ構成情報を含む、請求項１１乃至１２のうちの何れか１項記載の方法。
【請求項１７】
前記第３のメッセージは、前記分散型基地局装置の前記更なる分散ユニットでＵＥコンテキストのセットアップを要求するためのＵＥコンテキストセットアップ要求（ＵＥ  ｃｏｎｔｅｘｔ  ｓｅｔｕｐ  ｒｅｑｕｅｓｔ）メッセージを含み、前記第４のメッセージは、対応のＵＥコンテキストセットアップ応答（ＵＥ  ｃｏｎｔｅｘｔ  ｓｅｔｕｐ  ｒｅｓｐｏｎｓｅ）メッセージを含む、請求項１６記載の方法。
【請求項１８】
前記分散型基地局装置はセカンダリ基地局装置であり、前記ＵＥにサーブする前記セカンダリ基地局装置に変更が必要であることを決定することを更に含み、前記第１のメッセージの送信は前記決定に従って行われる、請求項１乃至１０のうち何れか１項記載の方法。
【請求項１９】
マスタ基地局装置に、セカンダリ基地局の変更が必要であることを示すメッセージを送信することを更に含み、当該メッセージは前記受信した構成情報を含む、請求項１８記載の方法。
【請求項２０】
前記分散型基地局装置は、第５世代５Ｇ標準に従って動作する５Ｇ基地局ｇＮＢを含む、請求項１乃至１９のうち何れか１項記載の方法。
【請求項２１】
セルラ通信システムにおいてＵＥ（Ｕｓｅｒ  Ｅｑｕｉｐｍｅｎｔ：ユーザ装置）にサーブする分散型基地局装置の分散ユニットにより行われる方法であって、
前記分散型基地局装置の中央ユニットから、前記分散型基地局装置の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを受信することと、
前記第１のメッセージに応答して、前記分散型基地局装置の前記中央ユニットに、第２のメッセージ内における前記現在の分散ユニット構成についての構成情報を送信することと、を含む方法。
【請求項２２】
セルラ通信システムにおける分散型基地局装置の中央ユニットであって、
ＵＥ（Ｕｓｅｒ  Ｅｑｕｉｐｍｅｎｔ：ユーザ装置）にサーブする前記分散型基地局装置の分散ユニットに、前記分散型基地局装置の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを送信する手段と、
前記分散型基地局装置の分散ユニットから、前記第１のメッセージに応答して送信される第２のメッセージ内における前記現在の分散ユニット構成についての構成情報を受信する手段と、を備える中央ユニット。
【請求項２３】
セルラ通信システムにおいてＵＥ（Ｕｓｅｒ  Ｅｑｕｉｐｍｅｎｔ：ユーザ装置）にサーブする分散型基地局装置の分散ユニットであって、
前記分散型基地局装置の中央ユニットから、前記分散型基地局装置の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを受信する手段と、
前記第１のメッセージに応答して、前記分散型基地局装置の中央ユニットに、第２のメッセージ内における前記現在の分散ユニット構成についての構成情報を送信する手段と、を備える分散ユニット。
【請求項２４】
請求項２２記載の中央ユニットと請求項２３記載の分散ユニットとを備える基地局装置。
【請求項２５】
プログラマブル装置に、請求項１乃至２１の何れか１項記載の方法を行わせる、コンピュータで実行可能なプログラム。
【請求項２６】
通信システムにおいて、ｇＮＢ−ＣＵ（ｇＮＢ  Ｃｅｎｔｒａｌ  Ｕｎｉｔ：ｇＮＢ中央ユニット）により行われる方法であって、
ｇＮＢ−ＤＵ（ｇＮＢ  Ｄｉｓｔｒｉｂｕｔｅｄ  Ｕｎｉｔ：ｇＮＢ分散ユニット）に、前記ｇＮＢ−ＤＵの構成を提供することを前記ｇＮＢ−ＤＵに要求するために用いるｇＮＢ−ＤＵ構成照会（ｃｏｎｆｉｇｕｒａｔｉｏｎ  ｑｕｅｒｙ）ＩＥ（Ｉｎｆｏｒｍａｔｉｏｎ  Ｅｌｅｍｅｎｔ：情報要素）を含むＵＥ（Ｕｓｅｒ  Ｅｑｕｉｐｍｅｎｔ：ユーザ装置）コンテキスト変更要求（ＣＯＮＴＥＸＴ  ＭＯＤＩＦＩＣＡＴＩＯＮ  ＲＥＱＵＥＳＴ）メッセージを送信することと、
前記ｇＮＢ−ＤＵから、前記コンテキスト変更要求メッセージに応答して送信されるＵＥコンテキスト変更応答（ＵＥ  ＣＯＮＴＥＸＴ  ＭＯＤＩＦＩＣＡＴＩＯＮ  ＲＥＳＰＯＮＳＥ）メッセージ内における前記ｇＮＢ−ＤＵの前記構成についての構成情報を受信することと、を含む方法。
【請求項２７】
前記ｇＮＢ−ＣＵは、前記ｇＮＢ−ＤＵから前記ｇＮＢ−ＣＵに送信されるＲＲＣ（Ｒａｄｉｏ  Ｒｅｓｏｕｒｃｅ  Ｃｏｎｔｒｏｌ：無線リソース制御）情報を含む前記ＵＥコンテキスト変更応答メッセージを受信する、請求項２６記載の方法。
【請求項２８】
前記ＲＲＣ情報は、セルグループを構成するために用いられるＣｅｌｌＧｒｏｕｐＣｏｎｆｉｇ  ＩＥを含むＤＵ−ＣＵ  ＲＲＣ情報（ＤＵ  ＴＯ  ＣＵ  ＲＲＣ  Ｉｎｆｏｒｍａｔｉｏｎ）ＩＥを含む、請求項２７記載の方法。
【請求項２９】
前記ｇＮＢ−ＣＵは、前記ＵＥコンテキスト変更応答メッセージに応答してＲＲＣ再構成を行う、請求項２７又は２８記載の方法。
【請求項３０】
通信システムにおけるｇＮＢ−ＣＵ（ｇＮＢ  Ｃｅｎｔｒａｌ  Ｕｎｉｔ：ｇＮＢ中央ユニット）であって、
トランシーバと、コントローラとを備え、
前記コントローラは、前記トランシーバを、ｇＮＢ−ＤＵ（ｇＮＢ  Ｄｉｓｔｒｉｂｕｔｅｄ  Ｕｎｉｔ：ｇＮＢ分散ユニット）に、前記ｇＮＢ−ＤＵの構成を提供することを前記ｇＮＢ−ＤＵに要求するために用いるｇＮＢ−ＤＵ構成照会（ｃｏｎｆｉｇｕｒａｔｉｏｎ  ｑｕｅｒｙ）ＩＥ（Ｉｎｆｏｒｍａｔｉｏｎ  Ｅｌｅｍｅｎｔ：情報要素）を含むＵＥ（Ｕｓｅｒ  Ｅｑｕｉｐｍｅｎｔ：ユーザ装置）コンテキスト変更要求（ＣＯＮＴＥＸＴ  ＭＯＤＩＦＩＣＡＴＩＯＮ  ＲＥＱＵＥＳＴ）メッセージを送信し、
前記ｇＮＢ−ＤＵから、前記ＵＥコンテキスト変更要求メッセージに応答して送信されるコンテキスト変更応答（ＣＯＮＴＥＸＴ  ＭＯＤＩＦＩＣＡＴＩＯＮ  ＲＥＳＰＯＮＳＥ）メッセージ内における前記ｇＮＢ−ＤＵの前記構成についての構成情報を受信するように制御する、ｇＮＢ−ＣＵ。
【発明の詳細な説明】
【技術分野】
【０００１】
本発明は、移動通信デバイス及びネットワークに関する。特に、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）規格、又はこれと同等若しくは派生の規格に従って動作する移動通信デバイス及びネットワークに関するが、これに限定されない。特に、本発明は、いわゆる「第４世代」若しくは「４Ｇ」（又は「ＬＴＥ」）システム、「第５世代」若しくは「５Ｇ」（又は「次世代」／「ＮＲ（Ｎｅｗ  Ｒａｄｉｏ）」システム、又はこれらのシステムの派生物若しくはハイブリッド構成におけるＤＣ（Ｄｕａｌ  Ｃｏｎｎｅｃｔｉｖｉｔｙ）構成に関するが、これに限定されない。特に、本発明は、ＥＮ−ＤＣ（Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ：進化型ＵＭＴＳ地上無線アクセス）ＮＲ−ＤＣ）や他の同様の構成を含むＭＲ−ＤＣ（Ｍｕｌｔｉ−ＲＡＴ（Ｍｕｌｔｉ−Ｒａｄｉｏ  Ａｃｃｅｓｓ  Ｔｅｃｈｎｏｌｏｇｙ：マルチ無線アクセス技術）ＤＣ）構成に関するが、これに限定されない。
【背景技術】
【０００２】
３ＧＰＰ規格の最新動向は、「ＥＰＣ（Ｅｖｏｌｖｅｄ  Ｐａｃｋｅｔ  Ｃｏｒｅ）ネットワーク及びＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ：進化型ＵＭＴＳ地上無線アクセスネットワーク）のＬＴＥ（Ｌｏｎｇ  Ｔｅｒｍ  Ｅｖｏｌｕｔｉｏｎ）」と呼ばれ、一般に「４Ｇ」とも呼ばれる。更に、「５Ｇ」及び「ＮＲ」といった語は、ＭＴＣ（Ｍａｃｈｉｎｅ  Ｔｙｐｅ  Ｃｏｍｍｕｎｉｃａｔｉｏｎｓ：マシン型通信）、ＩｏＴ（Ｉｎｔｅｒｎｅｔ  ｏｆ  Ｔｈｉｎｇｓ：モノのインターネット）通信、車両通信、自律走行車、高解像度ビデオストリーミング、スマートシティサービスなどのさまざまなアプリケーション及びサービスをサポートすることが期待される進化型の通信技術を指す。したがって、５Ｇ技術は、バーティカル市場へのネットワークアクセスを可能にし、サードパーティにネットワークサービスを提供し、新しいビジネスチャンスを創出するためのネットワーク（ＲＡＮ）共有をサポートすることが期待されている。３ＧＰＰは、いわゆる３ＧＰＰ  ＮｅｘｔＧｅｎ（Ｎｅｘｔ  Ｇｅｎｅｒａｔｉｏｎ）  ＲＡＮ及び３ＧＰＰ  ＮＧＣ（ＮｅｘｔＧｅｎ  Ｃｏｒｅ：次世代コア）ネットワーク（「５Ｇコア（５ＧＣ）」とも呼ばれる）によって５Ｇをサポートすることを意図している。５Ｇネットワークの種々の詳細は、例えば、ＮＧＭＮ（Ｎｅｘｔ  Ｇｅｎｅｒａｔｉｏｎ  Ｍｏｂｉｌｅ  Ｎｅｔｗｏｒｋｓ）アライアンスによるＮＧＭＮ  ５Ｇ  Ｗｈｉｔｅ  Ｐａｐｅｒ  Ｖ１．０に説明されており、当該文書は、ｈｔｔｐｓ：／／ｗｗｗ．ｎｇｍｎ．ｏｒｇ／５ｇ−ｗｈｉｔｅ−ｐａｐｅｒ．ｈｔｍｌから入手可能である。
【０００３】
より広範の通信ネットワークにアクセスするために、ユーザ通信デバイス（ユーザ装置又は「ＵＥ」）は、１つ以上の基地局を含むＲＡＮ（Ｒａｄｉｏ  Ａｃｃｅｓｓ  Ｎｅｔｗｏｒｋ：無線アクセスネットワーク）機器を介してネットワーク（４Ｇ及び／又は５Ｇ）に接続する。４Ｇネットワークに関連付けられた基地局は、通常、「ｅＮＢ（ｅｖｏｌｖｅｄ  ＮｏｄｅＢ：進化型ＮｏｄｅＢ）」と呼ばれる。一方で、５Ｇネットワークに関連付けられた基地局は、「ＮＲ−ＢＳ（Ｂａｓｅ  Ｓｔａｔｉｏｎ：基地局）」又は「ｇＮＢ」と呼ぶことができる。ただし、そのようなＲＡＮ装置／基地局は、別の語で呼ぶこともできるものとする。例えば、５Ｇ基地局は「ｅＮＢ（又は５Ｇ／ＮＲ  ｅＮＢ）」と呼ばれることもあり、これは、ＬＴＥ基地局についてより一般的である。ｇＮＢ（本明細書では「分散型」ｇＮＢと呼ぶ）の機能は、１つ以上の分散ユニット（「ＤＵ」又は「ｇＮＢ−ＤＵ」）と中央ユニット（「ＣＵ」又は「ｇＮＢ−ＣＵ」）とで分割可能である。ＣＵは、通常、高レベルの機能を実行すると共に、次世代コアとの通信を行う。一方で、ＤＵは、低レベルの機能を実行すると共に、エアインターフェースを介して近隣（例えば、当該ｇＮＢの運用するセル内）のＵＥ（Ｕｓｅｒ  Ｅｑｕｉｐｍｅｎｔ：ユーザ装置）との通信を行う。
【０００４】
最近、Ｅ−ＵＴＲＡ及びＮＲ無線アクセス技術を用いた「マルチコネクティビティ」運用に関する議論、すなわち、第４世代及び第５世代の基地局がそれぞれのコアネットワークにユーザ装置用のセルラアクセスを提供する際にどのように相互作用するかについての議論が進められている。このような「マルチコネクティビティ」シナリオには、ＭＲ−ＤＣ（Ｍｕｌｔｉ−ＲＡＴ  Ｄｕａｌ  Ｃｏｎｎｅｃｔｉｖｉｔｙ）シナリオも含まれ得る。これらのシナリオでは、例えば、少なくとも１つの４Ｇ基地局及び少なくとも１つの５Ｇ基地局がＵＥにサーブするように構成される。このようなシナリオにおける基地局の１つは、制御プレーンシグナリング（場合によってはユーザプレーンシグナリングも）を提供し、「マスタ」基地局とも呼ばれる。他の各基地局はユーザプレーンシグナリングを提供し、「セカンダリ」基地局とも呼ばれるが、「ＭＮ」（Ｍａｓｔｅｒ  Ｎｏｄｅ：マスタノード）や「ＳＮ」（Ｓｅｃｏｎｄａｒｙ  Ｎｏｄｅ：セカンダリノード）などの他の語を用いてもよい。以下を含むいくつかのＭＲ−ＤＣシナリオが可能である。
ＥＮ−ＤＣ（Ｅ−ＵＴＲＡ−ＮＲ  ＤＣ）：この場合、「マスタ」基地局（ＭＮ）は４Ｇ基地局（マスタｅＮＢ又は「ＭｅＮＢ」）であり、セカンダリ基地局（ＳＮ）は５Ｇ基地局（セカンダリｇＮＢ又は「ＳｇＮＢ」）である。このような状況下で、ｇＮＢは、ＵＥに対するＮＲユーザプレーン及び制御プレーンプロトコルの終端となり、ＥＮ−ＤＣにおけるセカンダリノードとして機能するため、「ｅｎ−ｇＮＢ」と呼ばれることもある。基地局同士は、Ｘ２インターフェースなどの基地局間インターフェースを介して接続される。ＵＥの制御プレーントラフィックは、Ｓ１−Ｃ又はＳ１−ＭＭＥ（Ｍｏｂｉｌｉｔｙ  Ｍａｎａｇｅｍｅｎｔ  Ｅｎｔｉｔｙ：モビリティ管理エンティティ）インターフェースなどの基地局−コアネットワーク間制御プレーンインターフェースを介して、マスタ基地局のコアネットワークで終了する（本シナリオでは、ＭｅＮＢに関連付けられたＭＭＥなどのＥＰＣ通信エンティティで終了する）。ＵＥのユーザプレーントラフィックは、Ｓ１−Ｕインターフェースなどの、１つ以上の基地局−コアネットワーク間ユーザプレーンインターフェースを介して、ＭｅＮＢのコアネットワーク（例えば、「Ｓ−ＧＷ」（Ｓｅｒｖｉｎｇ  ＧａｔｅＷａｙ：サービングゲートウェイ））においても終了する。構成によっては、ＭｅＮＢとＳｇＮＢの両方がそれぞれコアネットワークとのＳ１−Ｕインターフェースを備える場合もあるし、ＭｅＮＢのみがＳ１−Ｕインターフェースを備える場合もある。
ＮＧＥＮ−ＤＣ（ＮＧ−ＲＡＮ  Ｅ−ＵＴＲＡ−ＮＲ−ＤＣ）：この場合、「マスタ」基地局（ＭＮ）は４Ｇ基地局（マスタｅＮＢ又は「ＭｅＮＢ」）であり、セカンダリ基地局（ＳＮ）は５Ｇ基地局（セカンダリｇＮＢ又は「ＳｇＮＢ」）である。ただし、このシナリオでは、ＭｅＮＢは、５Ｇユーザプレーンインターフェース（例えば、「ＮＧ−Ｕ」）及び５Ｇ制御プレーンインターフェース（例えば、「ＮＧ−Ｃ」）を介して５ＧＣに接続される。基地局同士は、Ｘｎインターフェースなどの基地局間インターフェースを介して接続される。ＵＥの制御プレーントラフィックは、ＭｅＮＢとの適切なインターフェース（例えば、ＮＧ−Ｃインターフェース）を介して５Ｇコアネットワークエンティティ（例えば、ＡＭＦ（Ａｃｃｅｓｓ  ａｎｄ  Ｍｏｂｉｌｉｔｙ  Ｆｕｎｃｔｉｏｎ：アクセス／モビリティ機能））で終了する。ＵＥのユーザプレーントラフィックも、ＮＧ−Ｕインターフェースなどの１つ以上の基地局−コアネットワーク間ユーザプレーンインターフェースを介して、５Ｇコアネットワークにおいて終了する。構成によっては、ＭｅＮＢとＳｇＮＢの両方がそれぞれコアネットワークとのＮＧ−Ｕインターフェースを備える場合もあるし、ＭｅＮＢのみがＮＧ−Ｕインターフェースを備える場合もある。
ＮＥ−ＤＣ（ＮＲ−Ｅ−ＵＴＲＡ  ＤＣ）：この場合、「マスタ」基地局（ＭＮ）は５Ｇ基地局（マスタｇＮＢ又は「ＭｇＮＢ」）であり、セカンダリ基地局（ＳＮ）は４Ｇ基地局（セカンダリｅＮＢ又は「ＳｅＮＢ」）である。このような状況下では、ＳｅＮＢは「セカンダリｎｇ−ｅＮＢ」と呼ぶこともできる。基地局同士は、Ｘｎインターフェースなどの基地局間インターフェースを介して接続される。ＵＥの制御プレーントラフィックは、ＭｇＮＢとの適切なインターフェース（例えば、ＮＧ−Ｃインターフェース）を介して５Ｇコアネットワークエンティティ（例えば、ＡＭＦ）で終了する。ＵＥのユーザプレーントラフィックも、ＮＧ−Ｕインターフェースなどの１つ以上の基地局−コアネットワーク間ユーザプレーンインターフェースを介して、５Ｇのコアネットワークにおいて終了する。構成によっては、ＭｇＮＢとＳｅＮＢの両方がそれぞれコアネットワークとのＮＧ−Ｕインターフェースを備える場合もあるし、ＭｇＮＢのみがＮＧ−Ｕインターフェースを備える場合もある。
【０００５】
ＭＲ−ＤＣのコンテキストでは、基地局（特に、ｇＮＢ／ｇＮＢ−ＤＵ）おいて当該基地局がサーブするＵＥに適用される無線構成の正確かつ最新の指示を、より広範の通信ネットワーク内の他の通信エンティティに効率的かつ効果的に提供する方法の問題に関する議論が行われてきた。
【０００６】
ＲＲＣ（Ｒａｄｉｏ  Ｒｅｓｏｕｒｃｅ  Ｃｏｎｔｒｏｌ：無線リソース制御）メッセージ（例えば、ＲＲＣ接続再構成（ＲＲＣ  ｃｏｎｎｅｃｔｉｏｎ  ｒｅｃｏｎｆｉｇｕｒａｔｉｏｎ）メッセージ）がＵＥに送信されて、ＭＲ−ＤＣ構成のマスタノード下で動作するセルのグループに適切な構成情報を提供する。ＥＮ−ＤＣの場合、分散型ｇＮＢのコンテキストでは、このＲＲＣメッセージは、ｅｎ−ｇＮＢ−ＣＵによって生成された情報とｅｎ−ｇＮＢ−ＤＵによって生成された情報とからなる。当該情報は、通常、専用の情報要素（例えば、「ＣｅｌｌＧｒｏｕｐＣｏｎｆｉｇ」ＩＥ）でシグナリングされるセルグループ構成情報で構成される。
【０００７】
一般に、構成情報は「フル」構成又は「デルタ」構成として（例えば、ＲＲＣメッセージで）提供される。「フル」構成は必要な構成情報をすべて提供するものであり、「デルタ」構成は、過去の構成が提供されてから変更があった構成のみ詳細を提供するものである。通常、ＥＮ−ＤＣ構成を最初にセットアップする場合、構成情報を提供する手順の最初のメッセージにはフル構成が含まれ、構成情報を提供する後続のメッセージ（例えば、構成情報に対する後続的な変更）にはデルタ構成が含まれる。例えば、データベアラが追加された場合、ｇＮＢ−ＤＵは、通常、構成情報の一部を変更し、変更後の情報の詳細をＣｅｌｌＧｒｏｕｐＣｏｎｆｉｇ  ＩＥでデルタ構成として提供する。
【０００８】
メッセージサイズの観点からは、一般的にデルタ構成が望ましい。しかし、フル構成を用いた場合、誤った構成パラメータ値が適用された場合でも正しい値にリセットすることができる（例えば、過去のデルタ／フル構成情報が欠落しているか、誤って適用されている場合など）。
【発明の概要】
【０００９】
ＤＵ間モビリティ手順（及び同様の手順）中、セルグループ構成情報は、当該モビリティ手順のターゲットノード（例えば、ｅｎ−ｇＮＢ−ＤＵ）によって設定される。しかし、そのような手順で構成情報を提供する現行のメカニズムでは、構成情報を通信ネットワークのノードとＵＥとの間で常に最大効率で転送できるわけではないことは明らかである。
【００１０】
例えば、ｇＮＢ−ＣＵがＵＥの接続を現在の（ソース）ｇＮＢ−ＤＵから別の（ターゲット）ｇＮＢ−ＤＵへ変更することを決定するモビリティ手順では、構成情報を提供するための現行のメカニズムが非効率である可能性がある。
【００１１】
本発明は、上述の問題に対処する又は少なくとも部分的に改善する方法、装置及び通信システムを提供することを目的とする。
【００１２】
本発明は、添付の独立請求項に記載の通りである。添付の従属請求項には、オプションとしての特徴が記載されている。
【００１３】
本発明の例示的な態様によれば、セルラ通信システムにおいて分散型基地局装置の中央ユニットにより行われる方法であって、ＵＥ（Ｕｓｅｒ  Ｅｑｕｉｐｍｅｎｔ：ユーザ装置）にサーブする前記分散型基地局装置の分散ユニットに、前記分散型基地局装置の分散ユニットに現在の分散ユニット構成を提供することを要求するためのＩＥ（Ｉｎｆｏｒｍａｔｉｏｎ  Ｅｌｅｍｅｎｔ：情報要素）を含む第１のメッセージを送信することと、前記分散型基地局装置の分散ユニットから、前記第１のメッセージに応答して送信される第２のメッセージ内における前記現在の分散ユニット構成についての構成情報を受信することと、を含む方法が提供される。
【００１４】
本発明の例示的な態様によれば、セルラ通信システムにおいてＵＥ（Ｕｓｅｒ  Ｅｑｕｉｐｍｅｎｔ：ユーザ装置）にサーブする分散型基地局装置の分散ユニットにより行われる方法であって、前記分散型基地局装置の中央ユニットから、前記分散型基地局の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを受信することと、前記第１のメッセージに応答して、前記分散型基地局装置の中央ユニットに、第２のメッセージ内における前記現在の分散ユニット構成についての構成情報を送信することと、を含む方法が提供される。
【００１５】
本発明の例示的な態様によれば、セルラ通信システムにおける分散型基地局装置の中央ユニットであって、ＵＥ（Ｕｓｅｒ  Ｅｑｕｉｐｍｅｎｔ：ユーザ装置）にサーブする前記分散型基地局装置の分散ユニットに、前記分散型基地局の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを送信する手段と、前記分散型基地局装置の分散ユニットから、前記第１のメッセージに応答して送信される第２のメッセージ内における前記現在の分散ユニット構成についての構成情報を受信する手段と、を備える中央ユニットが提供される。
【００１６】
本発明の例示的な態様によれば、セルラ通信システムにおいてＵＥ（Ｕｓｅｒ  Ｅｑｕｉｐｍｅｎｔ：ユーザ装置）にサーブする分散型基地局装置の分散ユニットであって、前記分散型基地局装置の中央ユニットから、前記分散型基地局の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを受信する手段と、前記第１のメッセージに応答して、前記分散型基地局装置の中央ユニットに、第２のメッセージ内における前記現在の分散ユニット構成についての構成情報を送信する手段と、を備える分散ユニットが提供される。
【００１７】
本発明の例示的な態様は、対応するシステムと、装置と、プログラム可能なプロセッサをプログラムして上記例示的な態様に記載の方法及び特許請求の範囲に記載の可能性を実施させる、及び／又は好適に適合したコンピュータをプログラムして任意の請求項に記載の装置を提供させるように動作可能な命令を格納する、コンピュータ読取可能な記憶媒体などのコンピュータプログラム製品と、に及ぶ。
【００１８】
本明細書（特許請求の範囲を含む）に開示する及び／又は図面に示す各特徴は、開示する及び／又は図示する他の特徴とは独立して（又は組み合わせて）本発明に組み込まれてもよい。特に、特定の独立請求項に従属する請求項の特徴は、任意の組み合わせで、又は個別に、当該独立請求項に導入することができるが、これは限定的ではない。
【００１９】
当業者の理解の効率化のために、本発明は３ＧＰＰシステム（５Ｇネットワーク）のコンテキストを想定して詳細に説明するが、本発明の原理はスライススケジューリングを行う他のシステムにも適用することができる。
【図面の簡単な説明】
【００２０】
ここで、添付図面を参照して、本発明の例示的な実施形態の例を説明する。
【図１】図１は、本発明の例示的な実施形態を適用可能なモバイル（セルラ又は無線）通信システムを概略的に示す図である。
【図２】図２は、図１に示すシステムの一部を形成するモバイルデバイスを簡略化して示す概略ブロック図である。
【図３】図３は、図１に示すシステムの一部を形成するｅＮＢを簡略化して示す概略ブロック図である。
【図４】図４は、図１に示すシステムの一部を形成する分散型ｇＮＢを簡略化して示す概略ブロック図である。
【図５】図５は、ｇＮＢの分散ユニットと中央ユニットとの間のＵＥコンテキスト変更手順（ＵＥ  ｃｏｎｔｅｘｔ  ｍｏｄｉｆｉｃａｔｉｏｎ  ｐｒｏｃｅｄｕｒｅ）を簡略化して示すシグナリング図である。
【図６】図６は、Ｎｅｗ  Ｒａｄｉｏ（イントラＮＲ）動作中における、ＳｇＮＢ主導によるｇＮＢ−ＤＵ間モビリティ手順を簡略化して示すシグナリング図である。
【図７】図７は、ＥＮ−ＤＣシナリオにおける、ＭｅＮＢ主導によるｇＮＢ−ＤＵ間モビリティ手順を簡略化して示すシグナリング図である。
【図８】図８は、ＳｇＮＢ主導によるｇＮＢ間ハンドオーバ手順を簡略化して示すシグナリング図である。
【発明を実施するための形態】
【００２１】
（概要）
図１は、本発明の例示的な実施形態を適用可能なモバイル（セルラ又は無線）通信システムを概略的に示す図である。
【００２２】
通信システム１において、ＵＥ３−１、３−２、３−３は、例えば、Ｅ−ＵＴＲＡ及び／又は５Ｇ  ＲＡＴなどの適切な３ＧＰＰ  ＲＡＴ（Ｒａｄｉｏ  Ａｃｃｅｓｓ  Ｔｅｃｈｎｏｌｏｇｙ：無線アクセス技術）を用いて、それぞれ基地局５−１、５−２及びコアネットワーク７を介して、相互に及び他のＵＥと通信を行うことができる。複数の基地局５が（無線）アクセスネットワーク又は（Ｒ）ＡＮを形成してもよいものとする。当業者には明らかではあるが、図１が３つのモバイルデバイス３と２つの基地局５を例示目的で示す一方で、システム実装時には、通常、他の基地局及びＵＥも含まれる。
【００２３】
この例では、コアネットワーク７は、ＥＰＣ（Ｅｖｏｌｖｅｄ  Ｐａｃｋｅｔ  Ｃｏｒｅ）を含む。ＥＰＣ７には、当技術分野で広く理解される他のＥＰＣノード１３に加えて、Ｓ−ＧＷ９とＭＭＥ１１とが含まれる。
【００２４】
基地局５は、次世代（５Ｇ）規格に従って動作するように構成された基地局（ｇＮＢ）５−２と、４Ｇ規格に従って動作するように構成された基地局（ｅＮＢ）５−１とを含む。この例では、ｇＮＢ５−２は、中央ユニット（ｇＮＢ−ＣＵ）５−２ｂと、それぞれ少なくとも１つの対応セル６−１〜６−３にサーブする複数の分散ユニット（ｇＮＢ−ＤＵ）５−２ａ−１〜５−２ａ−３とを有する分散型ｇＮＢ５−２を含む。ｇＮＢ５−２の中央ユニットと分散ユニットは、専用インターフェース（Ｆ１又はＦ１アプリケーションプロトコル（「Ｆ１ＡＰ」）インターフェースとして知られる）を介して相互に通信を行う。
【００２５】
基地局は、ｅＮＢ５−１が「マスタ」基地局（ＭｅＮＢ）として機能し、ｇＮＢ５−２がセカンダリ基地局（ＳｇＮＢ）として機能するＥＮ−ＤＣ構成で構成される。図１では、ｇＮＢ５−２は「ｅｎ−ｇＮＢ」と呼ばれる（また、対応する中央ユニット及び分散ユニットは、それぞれ「ｅｎ−ｇＮＢ−ＣＵ」及び「ｅｎ−ｇＮＢ−ＤＵ」と呼ばれる）。セカンダリｇＮＢ−ＣＵ５−２ｂとマスタｅＮＢ５−１は、基地局間インターフェース（この例では、制御プレーンＸ２−Ｃ及びユーザプレーンＸ２−Ｕ通信を提供するＸ２インターフェース）を介して接続される。ＵＥの制御プレーントラフィックは、基地局−コアネットワーク間制御プレーンインターフェース（この例では、Ｓ１−ＭＭＥインターフェース）を介して、マスタｅＮＢのコアネットワーク７（例えば、ＭＭＥ１１）で終了する。ＵＥのユーザプレーントラフィックも、Ｓ１−Ｕインターフェースなどの、１つ以上の基地局−コアネットワーク間ユーザプレーンインターフェースを介して、マスタｅＮＢのコアネットワーク（例えば、Ｓ−ＧＷ９）において終了する。この例では、マスタｅＮＢ５−１とセカンダリｇＮＢ５−２（ｅｎ−ｇＮＢ−ＣＵ５−２）の中央ユニットはそれぞれコアネットワーク７とのＳ１−Ｕインターフェースを備える。
【００２６】
各ＵＥ３及びそのサービング基地局（又はサービング基地局分散ユニット）５は、適切なエアインターフェース（例えば、いわゆる「Ｕｕ」インターフェースなど）を介して接続される。
【００２７】
ＵＥ３が通信システム１内を移動する場合、ｅｎ−ｇＮＢ５−２の分散ユニット５−２ａが変更することがある（これは「ＤＵ間モビリティ」と呼ばれる）。例えば、図１のＵＥ３−２は、セル６−１からセル６−２に移動した場合、ｅｎ−ｇＮＢ５−２の中央ユニットＣＵ５−２ｂにおいて、ｅｎ−ｇＮＢ−ＤＵ５−２ａ−１（ソースＤＵとして機能する）からｅｎ−ｇＮＢ−ＤＵ５−２ａ−２（ターゲットＤＵとして機能する）へのモビリティがトリガされる。通常、この変更によって、ターゲットｅｎ−ｇＮＢ−ＤＵ５−２ａ−２を介した通信を成功させるためにＵＥに送達するセルグループ構成情報を変更する必要がある。この新しいセルグループ構成情報は、ｇＮＢ−ＣＵ５−２ｂから適切なＵＥコンテキストを設定するように要求された場合にターゲットｇＮＢ−ＤＵ５−２ａ−２において生成され、「フル」又は「デルタ」セルグループ構成情報としてｇＮＢ−ＣＵ５−２ｂに提供される。
【００２８】
セルグループ構成情報をデルタ構成情報として潜在的に提供することを容易にするために、ｇＮＢ−ＣＵ５−２ｂからターゲットｅｎ−ｇＮＢ−ＤＵ５−２ａ−２にソースｅｎ−ｇＮＢ−ＤＵ５−２ａ−１のフル構成情報を与えることもできる。この構成情報は、例えば、ＵＥコンテキストセットアップ要求（ＵＥ  ｃｏｎｔｅｘｔ  ｓｅｔｕｐ  ｒｅｑｕｅｓｔ）メッセージ（例えば、Ｆ１アプリケーションプロトコル、「Ｆ１ＡＰ」、ＵＥコンテキストセットアップ要求メッセージなど）に含まれる、ＣＵ‐ＤＵコンテナ（ＣＵ−ｔｏ−ＤＵ  ｃｏｎｔａｉｎｅｒ）ＩＥ内のＣｅｌｌＧｒｏｕｐＣｏｎｆｉｇ  ＩＥで提供することができる。当該ＵＥコンテキストセットアップ要求メッセージは、ＵＥコンテキストをそのターゲットｅｎ−ｇＮＢ−ＤＵ５−２ａ−２に転送する決定がされた場合に、ｇＮＢ−ＣＵ５−２ｂからターゲットｅｎ−ｇＮＢ−ＤＵ５−２ａ−２に送信される。
【００２９】
理論的には、ｇＮＢ−ＣＵ５−２ｂは、セルグループ構成情報（例えば、ＣｅｌｌＧｒｏｕｐＣｏｎｆｉｇ  ＩＥのコンテンツ）のローカルバージョンを維持し、セルグループ構成情報の更新をソースｅｎ−ｇＮＢ−ＤＵ５−２ａ−１から（例えば、ＣｅｌｌＧｒｏｕｐＣｏｎｆｉｇ  ＩＥで）受信する度に当該ローカルバージョンを更新することで、フルソースＤＵ構成を説明するセルグループ構成情報を自身で生成できる可能性がある。しかしながら、このプロセスは潜在的にエラーのリスクがあり、ｇＮＢ−ＣＵは、ＤＵからのセルグループ構成情報の更新を透過的に処理しなければならない可能性がある。ｇＮＢ−ＣＵがＤＵからのセルグループ構成情報の更新を透過的に処理することを求められる場合、ｇＮＢ−ＣＵ５−２ｂは、ソースｅｎ−ｇＮＢ−ＤＵ５−２ａ−１の構成情報の最新バージョンを維持することができないため、ソースｅｎ−ｇＮＢ−ＤＵ５−２ａ−１のセルグループ構成情報をターゲットｅｎ−ｇＮＢ−ＤＵ５−２ａ−２に提供することができない。したがって、ターゲットｅｎ−ｇＮＢ−ＤＵ５−２ａ−２がデルタ構成を提供することは不可能であるため、フル構成を提供する必要がある。
【００３０】
有利には、ｇＮＢ−ＣＵ５−２ｂ及びｇＮＢ−ＤＵ５−２ａは、ｇＮＢ−ＣＵ５−２ｂがターゲットｅｎ−ｇＮＢ−ＤＵ５−２ａ−２によるデルタ構成を容易にする手順をサポートすることができると共に、ソースｅｎ−ｇＮＢ−ＤＵ５−２ａ−１からのセルグループ構成情報の更新を透過的にハンドリングできるように構成される。
【００３１】
具体的には、ｇＮＢ−ＣＵ５−２ｂは、ｇＮＢ−ＣＵ５−２ｂが、ソースｅｎ−ｇＮＢ−ＤＵ５−２ａ−１に対し、ＵＥに対するその構成情報を必要に応じて（例えば、当該ＵＥのコンテキストを当該ターゲットｅｎ−ｇＮＢ−ＤＵ５−２ａ−２に転送する決定がされた後に）提供するように、効果的に要求することのできる手順をサポートするように構成される。そして、ｅｎ−ｇＮＢ−ＤＵ５−２ａは、その要求に応じて、ＵＥの構成情報を提供するように構成される。
【００３２】
有利には、この例では、ＵＥコンテキスト変更要求（ＵＥ  ｃｏｎｔｅｘｔ  ｍｏｄｉｆｉｃａｔｉｏｎ  ｒｅｑｕｅｓｔ）メッセージ（例えば、必須ＩＥと照会ＩＥのみを含むＦ１アプリケーションプロトコルＵＥコンテキスト変更要求メッセージ）に個別の照会情報要素（例えば、シングルビットＩＥ、ｔｒｕｅ／ｆａｌｓｅフラグなど）を追加することで要求を行い、受信者のＵＥ３（例えば、ＵＥコンテキスト変更要求で識別されるＵＥ）の構成情報の提供を要求するＵＥコンテキスト変更要求メッセージが送信されることを示す。当該要求に応じて、サポートされている場合、受信分散ユニット（この例では、ソースｅｎ−ｇＮＢ−ＤＵ５−２ａ−１）は、ＵＥコンテキスト変更応答メッセージ（例えば、Ｆ１アプリケーションプロトコルＵＥコンテキスト変更応答メッセージ）でＵＥ３の構成情報を有益に提供する。
【００３３】
受信ＤＵから提供される構成情報には、通常、ＤＵ‐ＣＵコンテナ（ＤＵ−ｔｏ−ＣＵ  ｃｏｎｔａｉｎｅｒ）ＩＥ（例えば、Ｆ１ＡＰ  ＤＵ‐ＣＵコンテナＩＥなど）内の対応するＵＥコンテキストの完全な説明が含まれる。現在のＤＵ‐ＣＵコンテナＩＥが、３個のＲＲＣ  ＩＥ（ＣｅｌｌＧｒｏｕｐＣｏｎｆｉｇ  ＩＥ、ＭｅａｓＧａｐＣｏｎｆｉｇ  ＩＥ、及びＲｅｑｕｅｓｔｅｄ  Ｐ−ＭａｘＦＲ１  ＩＥ）に情報を含ませるオプションがある一方で、受信ＤＵは、セルグループ構成情報（例えば、ＣｅｌｌＧｒｏｕｐＣｏｎｆｉｇ  ＩＥ）及び場合によっては測定ギャップ構成情報（例えば、ＭｅａｓＧａｐＣｏｎｆｉｇ  ＩＥ）のみを有すればよいものとする。受信ＤＵは、例えば、Ｒｅｑｕｅｓｔｅｄ  Ｐ−ＭａｘＦＲ１  ＩＥに情報を含ませる必要はない。これは、ＵＥ構成の一部ではないためである。
【００３４】
ただし、セルグループ構成情報に対する個別の要求をＤＵに対して行うことができる、及び／又は要求のあったセルグループ構成情報を受信ＤＵが提供することができる他の方法もあるものとする。
【００３５】
照会ＩＥは、「ＤＵ  Ｃｏｎｆｉｇ  Ｉｎｄｉｃａｔｏｒ」ＩＥ、「ＤＵ  Ｃｏｎｆｉｇ  Ｑｕｅｒｙ」ＩＥ、又は同一目的（すなわち、ＣＵがＤＵに現在のＵＥの構成の全体を報告するように要求することを可能にすること）を示す他の適切な名称で呼んでもよい。
【００３６】
ｇＮＢ  ＤＵからＵＥの構成情報を取得するこの手順は、モビリティ及びハンドオーバ手順を含む多様な手順で使用できるものとする。当該手順は、例えば以下の場合に使用することができる：
ｇＮＢ−ＣＵがＸ２ＡＰ：ＳｇＮＢ変更要求（ＳｇＮＢ  ｍｏｄｉｆｉｃａｔｉｏｎ  ｒｅｑｕｅｓｔ）ＩＥをＭｅＮＢから受信した後（ＭｅＮＢでデルタ構成シグナリングをサポートするために現在のセカンダリセルグループ構成を照会するＳＣＧ（セカンダリセルグループ）構成照会（ｃｏｎｆｉｇｕｒａｔｉｏｎ  ｑｕｅｒｙ）ＩＥに応答して）；
ｇＮＢ−ＣＵでＵＥコンテキストを同一ｇＮＢ−ＣＵ内のあるｇＮＢ−ＤＵから別のｇＮＢ−ＤＵに移動することを決定した後であり、Ｆ１ＡＰ：ＵＥコンテキストセットアップ要求（ＵＥ  ｃｏｎｔｅｘｔ  ｓｅｔｕｐ  ｒｅｑｕｅｓｔ）をターゲットｇＮＢ−ＤＵに送信する前；及び／又は
ｇＮＢ−ＣＵでＵＥコンテキストを別のｅｎ−ｇＮＢに移動することを決定した後であり、Ｘ２ＡＰ：ＳｇＮＢ変更必要（ＳｇＮＢ  ｃｈａｎｇｅ  ｒｅｑｕｉｒｅｄ）をＭｅＮＢに送信する前。
【００３７】
したがって、ｇＮＢ−ＣＵ５−２ｂは、取得したソースｅｎ−ｇＮＢ−ＤＵ５−２ａ−１のセルグループ構成情報をターゲットｅｎ−ｇＮＢ−ＤＵ５−２ａ−２に提供することができると共に、別の手順で受信したＣｅｌｌＧｒｏｕｐＣｏｎｆｉｇ  ＩＥを透過的にハンドリングすることができ、ターゲットｅｎ−ｇＮＢ−ＤＵ５−２ａ−２でデルタ構成を有効にする。
【００３８】
ＵＥ（ユーザ装置）
図２は、図１に示す通信システム１に適したＵＥ３の主要構成要素を示すブロック図である。
【００３９】
図示のように、ＵＥ３は、１つ以上のアンテナ２３３を介して接続ノードと信号の送受信を行うように動作可能なトランシーバ回路２３１を含む。図２には示されていないが、ＵＥ３が一般的なモバイルデバイスの通常の機能（ユーザインターフェース２３５など）をすべて備えることは明らかである。これは、ハードウェア、ソフトウェア及びファームウェアのいずれか１つ又はこれらの任意の組み合わせによって適宜実現可能である。
【００４０】
コントローラ２３７は、メモリ２３９に記憶されたソフトウェアに従ってＵＥ３の動作を制御する。上記ソフトウェアは、メモリ２３９に事前にインストールしてもよいし、例えば、通信ネットワーク１を介して、又はＲＭＤ（リムーバブルデータストレージデバイス）から、ダウンロードしてもよい。
【００４１】
ソフトウェアは、特に、オペレーティングシステム２４１、通信制御モジュール２４３、測定モジュール２４５、及びＲＲＣモジュール２４７を含む。
【００４２】
通信制御モジュール２４３は、ＵＥ３と基地局５との間の通信を制御するように動作可能である。また、通信制御モジュール２４３は、基地局５に送信する上りリンクデータ及び制御データの個々のフローと、基地局５によって送信される下りリンクデータ及び制御データの受信と、を制御する。通信制御モジュール２４３は、例えば、セル（再）選択、セル上でのキャンピング、システム情報のリスニング、ＲＡＣＨ（Ｒａｎｄｏｍ  Ａｃｃｅｓｓ  ＣＨａｎｎｅｌ：ランダムアクセスチャネル）手順など、アイドル及び接続モード手順におけるＵＥのパートの管理を担う。
【００４３】
測定モジュール２４５は、サービングセル及び隣接セルにおける通信状態（例えば、受信信号電力及び品質）の測定の実行を（例えば、基地局５から受信した測定構成及び制御情報に基づいて）ハンドリングする。また、測定モジュール２４５は、対応の測定レポートを生成して基地局５に送信する。
【００４４】
ＲＲＣモジュール２４７は、ＵＥ３のＲＲＣレイヤ機能の制御を（通信制御モジュール２４３の全体的な制御下で）担う。
【００４５】
ＬＴＥ基地局（ｅＮＢ）
図３は、図１に示すｅＮＢ５−１（すなわち、ＭｅＮＢ）の主要構成要素を示すブロック図である。
【００４６】
図示のように、ｅＮＢ５−１は、１つ以上のアンテナ３５３を介して接続ＵＥ３と信号の送受信を行うと共に、ネットワークインターフェース３５５を介して他のネットワークノードと（直接的又は間接的に）信号の送受信を行うように動作可能なトランシーバ回路３５１を少なくとも１つ含む。ネットワークインターフェース３５５は、通常、１つ以上の適切な基地局間インターフェース（Ｘ２／Ｘｎなど）及び１つ以上の基地局−コアネットワーク間インターフェース（Ｓ１／Ｎ１／Ｎ２／Ｎ３など）を含む。
【００４７】
コントローラ３５７は、メモリ３５９に記憶されたソフトウェアに従って基地局５−１の動作を制御する。上記ソフトウェアは、メモリ３５９に事前にインストールしてもよいし、例えば、通信ネットワーク１を介して、又はＲＭＤから、ダウンロードしてもよい。上記ソフトウェアは、特に、オペレーティングシステム３６１、通信制御モジュール３６３、Ｘｎ／Ｘ２モジュール３６５、ＣＮインターフェースモジュール３６７、ＳＮ管理モジュール３７１、及びＭｅＮＢ動作モジュール３７３を含む。
【００４８】
通信制御モジュール３６３は、基地局５−１と、ＵＥ３やコアネットワークノードなど他のノードとの間でシグナリングのハンドリング（生成／送信／受信）を担う。また、通信制御モジュール３６３は、上りリンク及び下りリンクユーザトラフィックの個々のフローと、ｅＮＢ５−１（及びセカンダリｇＮＢとして動作するｇＮＢ）がサーブするＵＥ３に送信する制御データを制御する。当該制御データには、例えば、ＵＥ３の動作を管理するための制御データが含まれる。
【００４９】
通信制御モジュール３６３は、例えば、測定制御／構成情報やシステム情報の通信、ＲＡＣＨ手順におけるｅＮＢのパートなどの手順の制御を担う。また、通信制御モジュール３６３は、隣接する基地局５とのインターフェースのセットアップ、構成、及び再構成を行う際のｅＮＢのパートの管理を担う。また、通信制御モジュール３６３は、モビリティ関連の決定を行うこと、ターゲットを選択することなど（該当する場合）を含む、モビリティ手順におけるｅＮＢのパートの管理を担う。
【００５０】
Ｘｎ／Ｘ２モジュール３６５は、図１に示すＥＮ−ＤＣ構成におけるｅＮＢ５−１とｅｎ−ｇＮＢ５−２との間のＸ２トラフィックなど、基地局間インターフェースを介したｅＮＢトラフィック（及び／又は他のＬＴＥ基地局とのＸ２トラフィック、及び／又はＮＥ−ＤＣ又はＮＧＥＮ−ＤＣ構成の一部を形成するｇＮＢとのＸｎトラフィックなど）の管理を（通信制御モジュール３６３の全体的な制御下で）担う。
【００５１】
ＣＮインターフェースモジュール３６７は、ＣＮインターフェースモジュール３６７自身と図１に示すＥＮ−ＤＣ構成におけるＥＰＣ７との間のＳ１−Ｕ／Ｓ１−Ｃトラフィックなど、基地局‐コアネットワーク間インターフェースを介したｅＮＢトラフィック（及び／又はＣＮインターフェースモジュール３６７自身とＮＥ−ＤＣ又はＮＧＥＮ−ＤＣの５ＧＣとの間の対応のインターフェースを介したトラフィック）の管理を（通信制御モジュール３６３の全体的な制御下で）担う。
【００５２】
ＳｇＮＢ管理モジュール３７１は、ｅＮＢ５−１がマスタｅＮＢとして動作する場合（例えば、図１に示すＥＮ−ＤＣ構成におけるＭｅＮＢとして構成された場合）、セカンダリノード（ＳＮ）と相互作用する手順の管理を担う。これらの手順は、例えば、ＳｇＮＢ主導によるＳｇＮＢ変更手順、ＭｅＮＢ主導によるＳｇＮＢ変更手順などを含んでもよい。
【００５３】
ＭｅＮＢ動作モジュール３７３は、ｅＮＢを（例えば、図１に示すＥＮ−ＤＣ構成におけるＭｅＮＢとして構成された場合に）マスタｅＮＢとして動作させることを担う。
【００５４】
分散型基地局（ｇＮＢ）
図４は、図１に示したタイプの分散型ｇＮＢ５−２の主要構成要素を示すブロック図である。
【００５５】
図示のように、ｇＮＢ５−２は、少なくとも１つの分散ユニット５−２ａ及び中央ユニット５−２ｂを含む。各ユニット５−２ａ、５−２ｂは、それぞれトランシーバ回路４５１ａ、４５１ｂを含む。分散ユニット５−２ａのトランシーバ回路４５１ａは、１つ以上のアンテナ４５３ａを介してＵＥ３と信号の送受信を行うように動作可能であると共に、インターフェース４５４ａを介して中央ユニット５−２ｂと信号の送受信を行うように動作可能である。
【００５６】
中央ユニット５−２ｂトランシーバ回路４５１ｂは、ネットワークインターフェース４５６ｂを介してコアネットワーク７及び／又は他のｇＮＢ５の機能と信号の送受信を行うように動作可能である。ネットワークインターフェースは、通常、コアネットワークと通信を行うための基地局‐コアネットワーク間インターフェース（例えば、Ｓ１−Ｕインターフェース）と、他の基地局（例えば、ＭｅＮＢ５−１及び／又は他のｇＮＢ）と通信を行うための１つ以上の基地局間インターフェース（例えば、Ｘｎ／Ｘ２インターフェース）を含む。また、中央ユニット５−２ｂのトランシーバ回路４５１ｂは、インターフェース４５４ｂ（例えば、Ｆ１インターフェース）を介して１つ以上の分散ユニット５−２ｂと信号の送受信を行うように動作可能である。
【００５７】
各ユニット５−２ａ、５−２ｂは、それぞれコントローラ４５７ａ、４５７ｂを含む。これらのコントローラ４５７ａ、４５７ｂは、分散ユニット５−２ａ及び中央ユニット５−２ｂのそれぞれのメモリ４５９ａ及び４５９ｂに格納されたソフトウェアに従って、対応するトランシーバ回路４５１ａ、４５１ｂの動作を制御する。各ユニットのソフトウェアは、特に、それぞれのオペレーティングシステム４６１ａ、４６１ｂ、それぞれの通信制御モジュール４６３ａ、４６３ｂ、それぞれのＦ１モジュール４６５ａ、４６５ｂ、及びそれぞれのＵＥコンテキスト管理モジュール４７３ａ、４７３ｂを含む。中央ユニット５−２ｂは、Ｘｎ／Ｘ２モジュール４６７ｂ、ＣＮインターフェースモジュール４６９ｂ、及びＳｇＮＢ動作モジュール４７１ｂも含む。分散ユニット５−２ａには、ＲＲＣモジュール４６８ａも含まれる。
【００５８】
各通信制御モジュール４６３ａ、４６３ｂは、一方のユニットから他方のユニットへの通信を含む、対応するユニット５−２ａ、５−２ｂの通信を制御するように動作可能である。分散ユニット５−２ａの通信制御モジュール４６３ａは、分散ユニット５−２ａとＵＥ３との間の通信を制御し、中央ユニット５−２ｂの通信制御モジュール４６３ｂは、中央ユニット５−２ｂとｇＮＢ５−２に接続されている他のネットワークエンティティ（例えば、ＭｅＮＢ５−１）との間の通信を制御する。
【００５９】
また、各通信制御モジュール４６３ａ、４６３ｂは、ｇＮＢ５−２がサーブするＵＥ３との間で送受信される上りリンク及び下りリンクユーザトラフィックフローにおいて分散ユニット５−２ａ及び中央ユニット５−２ｂが行うパートをそれぞれ制御する。各通信制御モジュール４６３ａ、４６３ｂは、例えば、測定制御／構成情報やシステム情報の通信において分散ユニット５−２ａ及び中央ユニット５−２ｂがそれぞれ行うパート、ＲＡＣＨ手順におけるｇＮＢのパートなどの制御を担う。また、各通信制御モジュール４６３ａ、４６３ｂは、例えば、セットアップにおけるｇＮＢのパート、隣接ｇＮＢとのｇＮＢ間インターフェースの構成及び再構成などの管理において分散ユニット５−２ａ及び中央ユニット５−２ｂがそれぞれ行うパートなどの制御を担う。また、各通信制御モジュール４６３ａ、４６３ｂは、例えば、モビリティの決定、ターゲットの選択（該当する場合）などモビリティ手順におけるｇＮＢのパートの管理において分散ユニット５−２ａ及び中央ユニット５−２ｂがそれぞれ行うパートなどの制御を担う。
【００６０】
各Ｆ１モジュール４６５ａ、４６５ｂは、分散ユニット５−２ａと中央ユニット５−２ｂとの間で、ＣＵ‐ＤＵ（Ｆ１）間インターフェースを介したトラフィックの管理を（対応する通信制御モジュール４６３ａ、４６３ｂの全体的な制御下で）担う。
【００６１】
ＵＥコンテキスト管理モジュール４７３ａ、４７３ｂは、中央ユニット５−２ｂと分散ユニット５−２ａとの間でＵＥコンテキストのセットアップ、管理及び維持を担う。ＵＥコンテキスト管理モジュール４７３ａ、４７３ｂは、例えば、ＵＥコンテキストセットアップ手順、ＵＥコンテキスト解放手順、ＵＥコンテキスト変更手順などのＵＥコンテキスト関連手順の管理を（対応する通信制御モジュール４６３ａ、４６３ｂの全体的な制御下で）担う。
【００６２】
中央ユニット５−２ｂのＸｎ／Ｘ２モジュール４６７ｂは、図１に示すＥＮ−ＤＣ構成におけるＭｅＮＢ５−１とのＸ２トラフィック（及び／又は他のｇＮＢとのＸｎトラフィック）など、基地局間インターフェースを介したｇＮＢトラフィックの管理を（通信制御モジュール４６３ｂの全体的な制御下で）担う。
【００６３】
中央ユニット５−２ｂのＣＮインターフェースモジュール４６９ｂは、ＣＮインターフェースモジュール４６９ｂ自身と図１に示すＥＮ−ＤＣ構成におけるＥＰＣ７との間のＳ１−Ｕトラフィックなど、基地局‐コアネットワーク間インターフェースを介したｇＮＢトラフィックの管理を（通信制御モジュール４６３ｂの全体的な制御下で）担う。
【００６４】
中央ユニット５−２ｂのＳｇＮＢ動作モジュール４７１ｂは、ｇＮＢ５−２のセカンダリｇＮＢとしての（例えば、図１に示すＥＮ−ＤＣ構成においてＳｇＮＢとして構成された場合の）動作の管理を担う。
【００６５】
分散ユニット５−２ａ２４７のＲＲＣモジュール４６８ａは、ｇＮＢ５−２のＲＲＣレイヤ機能及びＵＥ３との対応のＲＲＣ通信の制御を（通信制御モジュール４６３ａの全体的な制御下で）担う。
【００６６】
以下、例示としてのみ複数の手順を説明する。これらの手順は、多くの利点を有する効率的なシグナリングメカニズムを提供するために実装することができる。
【００６７】
ＵＥコンテキストの変更（ｇＮＢ−ＣＵ主導であり、ＤＵ構成照会と共に行われる）
ここで参照する図５は、ｇＮＢ５−２の分散ユニット（例えば、図１のソースｅｎ−ｇＮＢ−ＤＵ５−２ａ−１）と中央ユニット（例えば、図１のｅｎ−ｇＮＢ−ＣＵ５−２ｂ）との間のＵＥコンテキスト変更手順を簡略化して示すシグナリング図である。
【００６８】
一般に、ＵＥコンテキスト変更手順の目的は、確立されたＵＥコンテキストを変更することであり、例えば、無線リソースを確立、変更及び解放することである。ＵＥコンテキスト変更手順を用いて、ｇＮＢ−ＤＵにモビリティ目的でＵＥのデータ送信を停止するように命令してもよい。当該手順では、ＵＥに対応するシグナリングを使用する。しかしながら、図５のＵＥコンテキスト変更手順では、ｅｎ−ｇＮＢ−ＣＵ５−２ｂが、この手順によって、ＵＥの構成情報を提供するようにｅｎ−ｇＮＢ−ＤＵ５−２ａ−１に要求し、ｅｎ−ｇＮＢ−ＤＵ５−２ａ−１に、当該要求に応答して、ＵＥの構成情報を提供するように要求する。
【００６９】
図５に示すように、ステップＳ５２３において、ｅｎ−ｇＮＢ−ＣＵ５−２ｂは、Ｆ１ＡＰ  ＵＥコンテキスト変更要求メッセージをｅｎ−ｇＮＢ−ＤＵ５−２ａ−１に送信して手順を開始する。当該Ｆ１ＡＰ  ＵＥコンテキスト変更要求メッセージには、ＵＥコンテキスト変更要求メッセージに必要な必須ＩＥに加えてＤＵ構成照会（ＤＵ  ｃｏｎｆｉｇｕｒａｔｉｏｎ  ｑｕｅｒｙ）ＩＥが含まれており、当該ＤＵ構成照会ＩＥは、ＵＥコンテキスト変更要求メッセージの目的がＵＥコンテキスト変更要求メッセージ内に識別されるＵＥ３の構成情報の提供を受信側が開始することであることを示すように設定されている。
【００７０】
ｅｎ−ｇＮＢ−ＤＵ５−２ａ−１は、ＵＥコンテキスト変更要求メッセージを受信すると、ＤＵ構成照会ＩＥの存在に基づいて、ＵＥコンテキスト変更要求メッセージの目的がＵＥ３の構成情報を提供することを開始することであると判断する。したがって、ｅｎ−ｇＮＢ−ＤＵ５−２ａ−１は、ステップＳ５２４で、ＵＥのフル構成情報（例えば、ＣｅｌｌＧｒｏｕｐＣｏｎｆｉｇ  ＩＥ及びＭｅａｓＧａｐＣｏｎｆｉｇ  ＩＥ内にそれぞれ含まれるセルグループ及び測定ギャップ構成情報）を含むＤＵ‐ＣＵコンテナを含むＵＥコンテキスト変更応答（ＵＥ  ｃｏｎｔｅｘｔ  ｍｏｄｉｆｉｃａｔｉｏｎ  ｒｅｓｐｏｎｓｅ）メッセージで応答する。
【００７１】
したがって、要約すると、ＵＥコンテキスト変更要求メッセージにＤＵ構成照会ＩＥ（又は同様のＩＥ）が含まれる（又は「ｔｒｕｅ」に設定されている）場合、ｅｎ−ｇＮＢ−ＤＵ５−２ａ−１は、ＵＥコンテキスト変更応答メッセージのＤＵ‐ＣＵコンテナＩＥに、ＣｅｌｌＧｒｏｕｐＣｏｎｆｉｇ  ＩＥをフル構成として含むことができる。
【００７２】
上記手順でＵＥコンテキスト変更要求メッセージ（ＤＵ構成照会ＩＥを含む）に含むことのできる情報要素の例を以下の表１−１、１−２及び１−３に示す（第４列目の参照番号は３ＧＰＰ  ＴＳ３８．４７３に基づく）。
【００７３】
【表１−１】
2021528019.tif 000003
【００７４】
【表１−２】
2021528019.tif 000004
【００７５】
【表１−３】
2021528019.tif 000005
【００７６】
ｇＮＢ−ＤＵ間モビリティ手順（ＳｇＮＢ主導イントラＮＲ）
ここで参照する図６は、Ｎｅｗ  Ｒａｄｉｏ（イントラＮＲ）動作中における、ＳｇＮＢ主導によるｇＮＢ−ＤＵ間モビリティ手順を簡略化して示すシグナリング図である。この手順には、図５を参照して上で簡単に概要を示したのと同様のＤＵのフル構成情報を取得する手順が組み込まれる。
【００７７】
この手順は、ＮＲ動作中にＵＥ３−２が同一ｅｎ−ｇＮＢ−ＣＵ５−２ｂ内において１つのｇＮＢ−ＤＵ（ソースｅｎ−ｇＮＢ−ＤＵ５−２ａ−１）から別のｇＮＢ−ＤＵ（ターゲットｅｎ−ｇＮＢ−ＤＵ５−２ａ−１）に移動する場合に用いられる。
【００７８】
最初に、ＵＥ３−２が、ソースｅｎ−ｇＮＢ−ＤＵ５−２ａ−１を介してｅｎ−ｇＮＢ−ＣＵ５−２ｂと下りリンク及び上りリンク通信中であることがわかる。
【００７９】
ステップＳ６０１で、ＵＥは、測定レポート（ｍｅａｓｕｒｅｍｅｎｔ  ｒｅｐｏｒｔ）メッセージをソースｅｎ−ｇＮＢ−ＤＵ５−２ａ−１に送信する。ステップＳ６０２で、ソースｅｎ−ｇＮＢ−ＤＵ５−２ａ−１は、上りリンクＲＲＣ転送（ｕｐｌｉｎｋ  ＲＲＣ  ｔｒａｎｓｆｅｒ）メッセージをｇＮＢ−ＣＵに送信し、受信した測定レポートをｅｎ−ｇＮＢ−ＣＵ５−２ｂに渡す。
【００８０】
ステップＳ６２２で、ｅｎ−ｇＮＢ−ＣＵ５−２ｂは、ＵＥ３−２のＵＥコンテキストをターゲットｅｎ−ｇＮＢ−ＤＵ５−２ａ−２に移動することを決定する。また、ステップＳ６２３で、ｅｎ−ｇＮＢ−ＣＵ５−２ｂは、ＤＵ構成照会ＩＥ（又は同様のインジケータ）を含むＵＥコンテキスト変更要求メッセージをソースｅｎ−ｇＮＢ−ＤＵ５−２ａ−１に送信する。したがって、事実上、ＤＵ構成照会ＩＥの存在は、ＵＥコンテキスト変更要求メッセージがＵＥ構成情報を取得するためのものであることを示す。
【００８１】
ｅｎ−ｇＮＢ−ＤＵ５−２ａ−１は、ＵＥコンテキスト変更要求メッセージを受信すると、ＤＵ構成照会ＩＥの存在に基づいて、ＵＥコンテキスト変更要求メッセージの目的がＵＥ３の構成情報を提供することを開始することであると判断する。したがって、ｅｎ−ｇＮＢ−ＤＵ５−２ａ−１は、ステップＳ６２４で、ＵＥのフル構成情報（例えば、ＣｅｌｌＧｒｏｕｐＣｏｎｆｉｇ  ＩＥ及びＭｅａｓＧａｐＣｏｎｆｉｇ  ＩＥ内にそれぞれ含まれるセルグループ及び測定ギャップ構成情報）を含むＤＵ‐ＣＵコンテナを含むＵＥコンテキスト変更応答メッセージで応答する。
【００８２】
ステップＳ６０３において、ｅｎ−ｇＮＢ−ＣＵ５−２ｂは、ＵＥコンテキストセットアップ要求メッセージをターゲットｇＮＢ−ＤＵに送信して、ＵＥコンテキストを作成すると共に、１つ以上のベアラをセットアップする。このように、このメッセージには、ソースｅｎ−ｇＮＢ−ＤＵ５−２ａ−１でＵＥ３−２に適用されるフル構成情報を（例えば、ＣＵ−ＤＵ  ＲＲＣ情報（ＣＵ−ｔｏ−ＤＵ  ＲＲＣ  ｉｎｆｏｒｍａｔｉｏｎ）ＩＥのＣＧ−ＣｏｎｆｉｇＩｎｆｏ  ＩＥに）含むことができるため、ターゲットｅｎ−ｇＮＢ−ＤＵ５−２ａ−２でデルタ構成を適用することができる。
【００８３】
ターゲットｅｎ−ｇＮＢ−ＤＵ５−２ａ−２は、ステップＳ６０４で、ＵＥコンテキストセットアップ応答（ＵＥ  ｃｏｎｔｅｘｔ  ｓｅｔｕｐ  ｒｅｓｐｏｎｓｅ）メッセージ（例えば、ＵＥがターゲットとの接続を確立した場合に使用するデルタ構成情報を含む）でｅｎ−ｇＮＢ−ＣＵ５−２ｂに応答する。
【００８４】
ｅｎ−ｇＮＢ−ＣＵ５−２ｂは、ステップＳ６０５で、生成されたＲＲＣ接続再構成メッセージ（例えば、デルタ構成情報でもあり得る構成情報を含む）を含み、ＵＥ３−２に対するデータ送信を停止するように指示する更なるＵＥコンテキスト変更要求メッセージを、ソースｅｎ−ｇＮＢ−ＤＵ５−２ａ−１に送信する。
【００８５】
ステップＳ６０６で、ソースｅｎ−ｇＮＢ−ＤＵ５−２ａ−１は、受信したＲＲＣ接続再構成メッセージをＵＥに転送する。また、ソースｅｎ−ｇＮＢ−ＤＵ５−２ａ−１は、下りリンクデータ配信状態（ｄｏｗｎｌｉｎｋ  ｄａｔａ  ｄｅｌｉｖｅｒｙ  ｓｔａｔｕｓ）フレームを送信して、ＵＥ３−２への送信が失敗した下りリンクデータ（破線矢印で示す）についてｅｎ−ｇＮＢ−ＣＵ５−２ｂに通知する。ソースｅｎ−ｇＮＢ−ＤＵ５−２ｂで正常に送信されなかったデータを含む可能性のある下りリンクパケットは、ｅｎ−ｇＮＢ−ＣＵ５−２ｂによってターゲットｅ−ｇＮＢ−ＤＵ５−２ａ−２に送信される。これは、「下りリンクユーザデータ」として示すとおりである。
【００８６】
ステップＳ６０７で、ソースｅｎ−ｇＮＢ−ＤＵ５−２ａ−１は、更なるＵＥコンテキスト変更応答メッセージによってｅｎ−ｇＮＢ−ＣＵ５−２ｂに応答する。次に、ステップ６０８で、ＵＥ３−２とターゲットｅｎ−ｇＮＢ−ＤＵ５−２ａ−２との間でランダムアクセス手順が行われる。
【００８７】
ステップＳ６０９において、ＵＥ３−２は、ＲＲＣ接続再構成完了（ＲＲＣ  ｃｏｎｎｅｃｔｉｏｎ  ｒｅｃｏｎｆｉｇｕｒａｔｉｏｎ  ｃｏｍｐｌｅｔｅ）メッセージでターゲットｅｎ−ｇＮＢ−ＤＵ５−２ａ−２に応答する。ターゲットｅｎ−ｇＮＢ−ＤＵ５−２ａ−２は、Ｓ６１０で、上りリンクＲＲＣ転送メッセージをｅｎ−ｇＮＢ−ＣＵ５−２ｂに送信して、受信したＲＲＣ接続再構成完了メッセージを渡す。そして、「下りリンクユーザデータ」の矢印が示すように、下りリンクパケットをＵＥ３−２に送信することができ、上りリンクパケットをＵＥ３−２から送信することができる。これらは、「上りリンクユーザデータ」の矢印が示すように、ターゲットｅｎ−ｇＮＢ−ＤＵ５−２ａ−２を介してｅｎ−ｇＮＢ−ＣＵ５−２ｂに転送される。
【００８８】
次に、ｅｎ−ｇＮＢ−ＣＵ５−２ｂは、ステップＳ６１１において、ＵＥコンテキスト解放コマンド（ＵＥ  ｃｏｎｔｅｘｔ  ｒｅｌｅａｓｅ  ｃｏｍｍａｎｄ）メッセージをソースｅｎ−ｇＮＢ−ＤＵ５−２ａ−１に送信する。最後に、ステップＳ６１２で、ソースｅｎ−ｇＮＢ−ＤＵ５−２ａ−１がＵＥコンテキストを解放し、ｅｎ−ｇＮＢ−ＣＵ５−２ｂにＵＥコンテキスト解放完了（ＵＥ  ｃｏｎｔｅｘｔ  ｒｅｌｅａｓｅ  ｃｏｍｐｌｅｔｅ）メッセージで応答すると、手順が完了する。
【００８９】
ｇＮＢ−ＤＵ間モビリティ手順（ＭｅＮＢ主導ＥＮ−ＤＣ）
ここで参照する図７は、ＥＮ−ＤＣシナリオにおける、ＭｅＮＢ主導によるｇＮＢ−ＤＵ間モビリティ手順を簡略化して示すシグナリング図である。この手順には、図５を参照して上で簡単に概要を示したのと同様のＤＵのフル構成情報を取得する手順が組み込まれる。
【００９０】
この手順は、例えば、ＥＮ−ＤＣ動作中（例えば、マスタセルグループ「ＭＣＧ」、シグナリング無線ベアラ「ＳＲＢ」のみが使用可能な場合）に、ＵＥ３−２が１つのｇＮＢ−ＤＵ（ソースｅｎ−ｇＮＢ−ＤＵ５−２ａ−１）から別のｇＮＢ−ＤＵ（ターゲットｅｎ−ｇＮＢ−ＤＵ５−２ａ−１）に移動する状況に使用することができる。
【００９１】
最初に、ＵＥが、ソースｅｎ−ｇＮＢ−ＤＵ５−２ａ−１を介してｅｎ−ｇＮＢ−ＣＵ５−２ｂと下りリンク及び上りリンク通信中であることがわかる。
【００９２】
ステップＳ７０１で、ＵＥは、測定レポートメッセージをＭｅＮＢ５−１に送信する。
【００９３】
ステップＳ７２２で、ＭｅＮＢ５−１は、ＵＥ３−２のＵＥコンテキストをターゲットｅｎ−ｇＮＢ−ＤＵ５−２ａ−２に移動することを（例えば、測定結果に基づいて）決定する。その結果発生するモビリティ手順を開始するために、ＭｅＮＢ５−１は、ステップＳ７０２でＳｇＮＢ変更要求メッセージをｅｎ−ｇＮＢ−ＣＵ５−２ｂに送信する。
【００９４】
ＳｇＮＢ変更要求メッセージを受信すると、ｅｎ−ｇＮＢ−ＣＵ５−２ｂは、ステップＳ７２３で、ＤＵ構成照会ＩＥ（又は同様のインジケータ）を含むＵＥコンテキスト変更要求メッセージを、ソースｅｎ−ｇＮＢ−ＤＵ５−２ａ−１に送信する。したがって、事実上、ＤＵ構成照会ＩＥの存在は、ＵＥコンテキスト変更要求メッセージがＵＥ構成情報を取得するためのものであることを示す。
【００９５】
ｅｎ−ｇＮＢ−ＤＵ５−２ａ−１は、ＵＥコンテキスト変更要求メッセージを受信すると、ＤＵ構成照会ＩＥの存在に基づいて、ＵＥコンテキスト変更要求メッセージの目的がＵＥ３の構成情報を提供することを開始することであると判断する。したがって、ｅｎ−ｇＮＢ−ＤＵ５−２ａ−１は、ステップＳ６２４で、ＵＥのフル構成情報（例えば、ＣｅｌｌＧｒｏｕｐＣｏｎｆｉｇ  ＩＥ及びＭｅａｓＧａｐＣｏｎｆｉｇ  ＩＥ内にそれぞれ含まれるセルグループ及び測定ギャップ構成情報）を含むＤＵ‐ＣＵコンテナを含むＵＥコンテキスト変更応答メッセージで応答する。
【００９６】
ステップＳ７０３において、ｅｎ−ｇＮＢ−ＣＵ５−２ｂは、ＵＥコンテキストセットアップ要求メッセージをターゲットｅｎ−ｇＮＢ−ＤＵ５−２ａ−２に送信して、ＵＥコンテキストを作成すると共に、１つ以上のベアラをセットアップする。このように、このメッセージには、ソースｅｎ−ｇＮＢ−ＤＵ５−２ａ−１でＵＥ３−２に適用されるフル構成情報を（例えば、ＣＵ−ＤＵ  ＲＲＣ情報ＩＥのＣＧ−ＣｏｎｆｉｇＩｎｆｏ  ＩＥに）含むことができるため、ターゲットｅｎ−ｇＮＢ−ＤＵ５−２ａ−２でデルタ構成を適用することができる。
【００９７】
ターゲットｅｎ−ｇＮＢ−ＤＵ５−２ａ−２は、ステップＳ７０４で、ＵＥコンテキストセットアップ応答メッセージ（例えば、ＵＥがターゲットとの接続を確立した場合に使用するデルタ構成情報を含む）でｅｎ−ｇＮＢ−ＣＵ５−２ｂに応答する。
【００９８】
ＵＥコンテキストセットアップ応答メッセージを受信すると、ステップＳ７０５で、ｅｎ−ｇＮＢ−ＣＵ５−２ｂはステップＳ７０４で受信したＭｅＮＢ５−１にＳｇＮＢ変更要求確認（ＳｇＮＢ  ｍｏｄｉｆｉｃａｔｉｏｎ  ｒｅｑｕｅｓｔ  ａｃｋｎｏｗｌｅｄｇｅ）メッセージ（デルタ又はフル構成情報を含み得る）を送信する。
【００９９】
変更要求確認メッセージが送信されると、ｅｎ−ｇＮＢ−ＣＵ５−２ｂは、ステップＳ７０６に進み、更なるＵＥコンテキスト変更要求メッセージをソースｅｎ−ｇＮＢ−ＤＵ５−２ａ−１に送信し、ＵＥ３−２へのデータ送信を停止するように指示する。また、ソースｅｎ−ｇＮＢ−ＤＵ５−２ａ−１は、下りリンクデータ配信状態フレームをｅｎ−ｇＮＢ−ＣＵ５−２ｂに送信して、ＵＥ３−２への送信が失敗した下りリンクデータについてｅｎ−ｇＮＢ−ＣＵ５−２ｂに通知する。ソースｅｎ−ｇＮＢ−ＤＵ５−２ａ−１は、ステップＳ７０７で、ＵＥコンテキスト変更応答メッセージを更にｅｎ−ｇＮＢ−ＣＵ５−２ｂに送信する。そして、ＭｅＮＢ５−１及びＵＥ３−２は、ステップＳ７０８において、手順の前半で受信した構成情報（これは、デルタ構成情報であってもよい）を用いてＲＲＣ再構成（ＲＲＣ  ｒｅｃｏｎｆｉｇｕｒａｔｉｏｎ）手順を実行することができる。
【０１００】
続いて、ステップＳ７０９において、ＭｅＮＢ５−１は、ＳｇＮＢ再構成完了メッセージをｅｎ−ｇＮＢ−ＣＵ５−２ｂに送信する。ソースｅｎ−ｇＮＢ−ＤＵ５−２ｂで正常に送信されなかったデータを含む可能性のある下りリンクパケットは、ｅｎ−ｇＮＢ−ＣＵ５−２ｂによってターゲットｅ−ｇＮＢ−ＤＵ５−２ａ−２に送信される。これは、「下りリンクユーザデータ」として示すとおりである。次に、ステップ７１０で、ＵＥ３−２とターゲットｅｎ−ｇＮＢ−ＤＵ５−２ａ−２との間でランダムアクセス手順が行われる。そして、「下りリンクユーザデータ」の矢印が示すように、下りリンクパケットをＵＥ３−２に送信することができ、上りリンクパケットをＵＥ３−２から送信することができる。これらは、「上りリンクユーザデータ」の矢印が示すように、ターゲットｅｎ−ｇＮＢ−ＤＵ５−２ａ−２を介してｅｎ−ｇＮＢ−ＣＵ５−２ｂに転送される。
【０１０１】
次に、ｅｎ−ｇＮＢ−ＣＵ５−２ｂは、ステップＳ７１１において、ＵＥコンテキスト解放コマンドメッセージをソースｅｎ−ｇＮＢ−ＤＵ５−２ａ−１に送信する。最後に、ステップＳ７１２で、ソースｅｎ−ｇＮＢ−ＤＵ５−２ａ−１がＵＥコンテキストを解放し、ｅｎ−ｇＮＢ−ＣＵ５−２ｂにＵＥコンテキスト解放完了メッセージで応答する。これにより、手順が完了する。
【０１０２】
図７に示す手順において、ＵＥコンテキスト変更要求及び応答メッセージを用いてＤＵのフル構成情報を取得する手順は、ＳｇＮＢ変更要求メッセージ内の特定のＩＥ（例えば、ＳＣＧ構成照会（ＳＣＧ  ｃｏｎｆｉｇｕｒａｔｉｏｎ  ｑｕｅｒｙ）ＩＥなど）の存在に基づいてトリガしてもよいものとする。更に、ＭｅＮＢ５−１は、図５と同様の手順を適切なタイミングでトリガし（例えば、ＳＣＧ構成照会ＩＥなどを含むＳｇＮＢ変更要求を送信して、ＭｅＮＢでデルタ構成シグナリングをサポートするために現在のセカンダリセルグループ構成を照会することで）、そして、図５の手順で取得した構成情報をＳｇＮＢ変更要求確認メッセージで受信することで、ソースＤＵの構成情報を取得することができる。
【０１０３】
ｇＮＢ間ハンドオーバ（ＳｇＮＢ主導）
ここで参照する図８は、ＥＮ−ＤＣシナリオにおける、ＳｇＮＢ主導によるＵＥのｇＮＢ間ハンドオーバ手順を簡略化して示すシグナリング図である。この手順には、ｅｎ−ｇＮＢが特定のＵＥについて別のｅｎ−ｇＮＢでの変更を要求するのに用いるＳｇＮＢ変更手順と併せて、図５を参照して上で簡単に概要を示したのと同様のＤＵのフル構成情報を取得する手順が組み込まれる。当該手順では、ＵＥに対応するシグナリングを使用する。
【０１０４】
当該手順は、ステップＳ８２２において、ｅｎ−ｇＮＢ−ＣＵ５−２ｂが特定のＵＥ３−２について別のｇＮＢでの変更を要求することを決定した場合に、トリガされる。ｅｎ−ｇＮＢ−ＣＵ５−２ｂは、ステップＳ８２３で、ＤＵ構成照会ＩＥ（又は同様のインジケータ）を含むＵＥコンテキスト変更要求メッセージを、ｅｎ−ｇＮＢ−ＤＵ５−２ａ−１に送信する。したがって、事実上、ＤＵ構成照会ＩＥの存在は、ＵＥコンテキスト変更要求メッセージがＵＥ構成情報を取得するためのものであることを示す。
【０１０５】
ｅｎ−ｇＮＢ−ＤＵ５−２ａ−１は、ＵＥコンテキスト変更要求メッセージを受信すると、ＤＵ構成照会ＩＥの存在に基づいて、ＵＥコンテキスト変更要求メッセージの目的がＵＥ３の構成情報を提供することを開始することであると判断する。したがって、ｅｎ−ｇＮＢ−ＤＵ５−２ａ−１は、ステップＳ８２４で、ＵＥのフル構成情報（例えば、ＣｅｌｌＧｒｏｕｐＣｏｎｆｉｇ  ＩＥ及びＭｅａｓＧａｐＣｏｎｆｉｇ  ＩＥ内にそれぞれ含まれるセルグループ及び測定ギャップ構成情報）を含むＤＵ‐ＣＵコンテナを含むＵＥコンテキスト変更応答メッセージで応答する。
【０１０６】
次に、ｅｎ−ｇＮＢ−ＣＵ５−２ｂは、ステップＳ８２５で、ターゲットＳｇＮＢ  ＩＤ情報ＩＥを含むＳｇＮＢ変更（ＳｇＮＢ  ｃｈａｎｇｅ）メッセージをＭｅＮＢ５−１に送信して手順のＳｇＮＢ変更部分を送信することで、手順を開始する。ＳｇＮＢ変更必要メッセージは、ｅｎ−ｇＮＢ−ＤＵ５−２ａ−１から提供される構成情報を含むＳｇＮＢ−ＭｅＮＢコンテナ（ＳｇＮＢ−ｔｏ−ＭｅＮＢ  ｃｏｎｔａｉｎｅｒ）ＩＥを含んでもよい。
【０１０７】
ＭｅＮＢ５−１がｅｎ−ｇＮＢ−ＣＵ５−２ｂから要求された変更を実行可能な場合、ＭｅＮＢ５−１は、ステップＳ８２６で、ｅｎ−ｇＮＢ−ＤＵ５−２ａ−１で設定されたＥ−ＲＡＢ（Ｅ−ＵＴＲＡＮ  Ｒａｄｉｏ  Ａｃｃｅｓｓ  Ｂｅａｒｅｒ：Ｅ−ＵＴＲＡＮ無線アクセスベアラ）について下りリンク及び／又は上りリンクデータ転送が必要か否かを示す情報と共に、ＳｇＮＢ変更確認（ＳｇＮＢ  ｃｈａｎｇｅ  ｃｏｎｆｉｒｍ）メッセージをｅｎ−ｇＮＢ−ＣＵ５−２ｂに送信する。
【０１０８】
ｅｎ−ｇＮＢ−ＣＵ５−２ｂは、ｅｎ−ｇＮＢ−ＤＵ５−２ａ−１と連携してデータ転送を開始し、ＳｇＮＢ変更確認メッセージの受信時にＵＥ３−２へのユーザデータの提供を停止してもよい。
【０１０９】
要求変更を正常に実行できない場合、ＭｅＮＢ５−１は、原因（ｃａｕｓｅ）ＩＥに適切な原因値を含ませて、ＳｇＮＢ変更拒否（ＳｇＮＢ  ｃｈａｎｇｅ  ｒｅｆｕｓｅ）メッセージでｅｎ−ｇＮＢ−ＣＵ５−２ｂに応答してもよい。
【０１１０】
まとめ
このように、ＤＵ構成照会ＩＥ（又は同様のＩＥ）をＦ１ＡＰ：ＵＥ  ＣＯＮＴＥＸＴ  ＭＯＤＩＦＩＣＡＴＩＯＮ  ＲＥＱＵＥＳＴに加えることで、これを用いてＤＵをトリガし、Ｆ１ＡＰ：ＵＥ  ＣＯＮＴＥＸＴ  ＭＯＤＩＦＩＣＡＴＩＯＮ  ＲＥＳＰＯＮＳＥのＤＵ‐ＣＵ情報（ＤＵ−ｔｏ−ＣＵ  ｉｎｆｏｒｍａｔｉｏｎ）コンテナ内でセルグループ構成情報（例えば、ＣｅｌｌＧｒｏｕｐＣｏｎｆｉｇ  ＩＥのコンテンツ）のフル構成を提供できることがわかる。ＣＵは、この構成情報を適切なＩＥ（例えば、ＣＧ−ＣｏｎｆｉｇＩｎｆｏ  ＩＥなど）に含めて、ＤＵの変更を伴うモビリティ手順中に別のＤＵに送信することができる。
【０１１１】
（変形例及び代替案）
以上、例示的な実施形態を詳細に説明した。上記例示的な実施形態については複数の変形例及び代替案が可能であり、そのようにして具現化された発明であっても同様の利を得ることができることは当業者には明らかである。説明のため、これらの変形例及び代替案の実施例を一部のみ説明する。
【０１１２】
例えば、図１ではＥＮ−ＤＣ構成の例を示したが、この例に関連して説明した概念は、上記導入部分において説明した他の任意のＭＲ−ＤＣ構成にも適用できるものとする。
【０１１３】
更に、上記説明では、分散ユニットから提供される構成情報は、ＵＥコンテキスト変更要求メッセージのＤＵ−ＣＵコンテナ（ＤＵ−ｔｏ−ＣＵ  ｃｏｎｔａｉｎｅｒ）ＩＥ内の既存のＣｅｌｌＧｒｏｕｐＣｏｎｆｉｇ  ＩＥ及びＭｅａｓＧａｐＣｏｎｆｉｇ  ＩＥで提供してもよいと説明したが、ＣｅｌｌＧｒｏｕｐＣｏｎｆｉｇ  ＩＥ及びＭｅａｓＧａｐＣｏｎｆｉｇ  ＩＥの内容は、これらのＩＥを現在送信中の任意のメッセージ内で複製を作成してよいものとする。これは、例えば、ＤＵの第２のインスタンスをＤＵ−ＣＵコンテナＩＥ（又はこれに対応する別名称のＩＥ）内に有することで、又はＣｅｌｌＧｒｏｕｐＣｏｎｆｉｇ  ＩＥ及び／又はＭｅａｓＧａｐＣｏｎｆｉｇ  ＩＥの第２のインスタンスを既存のＤＵ−ＣＵコンテナＩＥ（又はこれらに対応する別名称のＩＥ）に加えることで、実現可能である。例えば、既存のＤＵ‐ＣＵ情報ＩＥを含む各Ｆ１ＡＰメッセージは、新しいＩＥを含むように構成可能である。当該ＩＥは、例えば、セカンダリＤＵ‐ＣＵ情報ＩＥであり、フル構成を含み、少なくともＤＵ‐ＣＵ情報ＩＥにデルタ構成が含まれる場合にメッセージに含むことができるものである。ＤＵ‐ＣＵ情報ＩＥ内で関連するＩＥの複製を作成する別のオプションは、例えば、セカンダリＣｅｌｌＧｒｏｕｐＣｏｎｆｉｇ及び／又はセカンダリＭｅａｓＧａｐＣｏｎｆｉｇ  ＩＥを既存のＤＵ‐ＣＵ情報ＩＥに加えることで実現可能である。これらのＩＥは、例えば、デルタ構成を既存のＣｅｌｌＧｒｏｕｐＣｏｎｆｉｇ  ＩＥ及びＭｅａｓＧａｐＣｏｎｆｉｇ  ＩＥの一方又は両方を介して送信する場合にフル構成を記述するのに用いることができる。しかしながら、これらのオプションには、使用されることの少ないフル構成記述のシグナリングが含まれる。
【０１１４】
有利には、これらの変形例による方法を使用することで、ＤＵはデルタ構成とフル構成の両方を同時に提供することができる。このコンテキストでは、デルタ構成のみ、フル構成のみ、或いはデルタ構成とフル構成の両方が必要であるか否かを示すＩＥを、必要に応じて、ＣＵ‐ＤＵシグナリング（ＣＵ−ｔｏ−ＤＵ  ｓｉｇｎａｌｌｉｎｇ）メッセージに更に導入してもよい。又は、或いは上に加えて、特定のメッセージにフル構成とデルタ構成のいずれか又は両方を含ませる場合の条件は、通信エンティティ（例えば、これらを提供するＤＵ又はＣＵ）に完全に又は部分的に事前にプログラミングされ、対応の規格に規定される。
【０１１５】
各コントローラは任意の形態の処理回路を適宜含んでもよく、例えば、以下が含まれる（限定的ではない）：
ハードウェアに実装された１つ以上のコンピュータプロセッサ；マイクロプロセッサ；ＣＰＵ（Ｃｅｎｔｒａｌ  Ｐｒｏｃｅｓｓｉｎｇ  Ｕｎｉｔｓ：中央処理装置）；ＡＬＵ（Ａｒｉｔｈｍｅｔｉｃ  Ｌｏｇｉｃ  Ｕｎｉｔｓ：算術論理ユニット）；ＩＯ（Ｉｎｐｕｔ／Ｏｕｔｐｕｔ：入出力）回路；内部メモリ／キャッシュ（プログラム及び／又はデータ）；処理レジスタ；通信バス（例えば、制御、データ及び／又はアドレスバス）；ＤＭＡ（Ｄｉｒｅｃｔ  Ｍｅｍｏｒｙ  Ａｃｃｅｓｓ：ダイレクトメモリアクセス）機能；及びハードウェア又はソフトウェア実装されたカウンタ、ポインタ、タイマなど。
【０１１６】
上述の例示的な実施形態では、複数のソフトウェアモジュールを説明した。当業者が理解するように、ソフトウェアモジュールは、コンパイルされた形式又はコンパイルされていない形式で提供してもよいし、コンピュータネットワークを介した信号として、又は記録媒体上で、基地局若しくはＵＥに供給してもよい。更に、このソフトウェアの一部又はすべてによって実行される機能は、１つ以上の専用ハードウェア回路を使用して実行してもよい。しかしながら、ＵＥ及び基地局の更新を高速化するためには、ソフトウェアモジュールの使用が推奨される。
【０１１７】
上記の例示的な実施形態は、「非モバイル」又は一般に固定のユーザ装置にも適用可能である。
【０１１８】
したがって、要約すると、本明細書で説明した一実施例では、セルラ通信システムにおいて分散型基地局装置の中央ユニットにより行われる方法であって、ＵＥ（Ｕｓｅｒ  Ｅｑｕｉｐｍｅｎｔ：ユーザ装置）にサーブする前記分散型基地局装置の分散ユニットに、前記分散型基地局装置の分散ユニットに現在の分散ユニット構成を提供することを要求するためのＩＥ（Ｉｎｆｏｒｍａｔｉｏｎ  Ｅｌｅｍｅｎｔ：情報要素）を含む第１のメッセージを送信することと、前記分散型基地局装置の分散ユニットから、前記第１のメッセージに応答して送信される第２のメッセージ内における前記現在の分散ユニット構成についての構成情報を受信することと、を含む方法を説明した。
【０１１９】
本明細書で説明した別の実施例では、セルラ通信システムにおいてＵＥ（Ｕｓｅｒ  Ｅｑｕｉｐｍｅｎｔ：ユーザ装置）にサーブする分散型基地局装置の分散ユニットにより行われる方法であって、前記分散型基地局装置の中央ユニットから、前記分散型基地局の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを受信することと、前記第１のメッセージに応答して、前記分散型基地局装置の中央ユニットに、第２のメッセージ内における前記現在の分散ユニット構成についての構成情報を送信することと、を含む方法を説明した。
【０１２０】
本明細書で説明した別の実施例では、セルラ通信システムにおける分散型基地局装置の中央ユニットであって、ＵＥ（Ｕｓｅｒ  Ｅｑｕｉｐｍｅｎｔ：ユーザ装置）にサーブする前記分散型基地局装置の分散ユニットに、前記分散型基地局の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを送信する手段と、前記分散型基地局装置の分散ユニットから、前記第１のメッセージに応答して送信される第２のメッセージ内における前記現在の分散ユニット構成についての構成情報を受信する手段と、を備える中央ユニットを説明した。
【０１２１】
本明細書で説明した別の実施例では、セルラ通信システムにおいてＵＥ（Ｕｓｅｒ  Ｅｑｕｉｐｍｅｎｔ：ユーザ装置）にサーブする分散型基地局装置の分散ユニットであって、前記分散型基地局装置の中央ユニットから、前記分散型基地局の分散ユニットに前記現在の分散ユニット構成を提供することを要求するためのＩＥ（Ｉｎｆｏｒｍａｔｉｏｎ  Ｅｌｅｍｅｎｔ：情報要素）を含む第１のメッセージを受信する手段と、前記第１のメッセージに応答して、前記分散型基地局装置の中央ユニットに、第２のメッセージ内における前記現在の分散ユニット構成についての構成情報を送信する手段と、を備える分散ユニットを説明した。
【０１２２】
前記第１のメッセージは要求メッセージを含んでもよく、前記第２のメッセージは当該要求メッセージに応答するための特定の応答メッセージを含んでもよい。例えば、前記要求メッセージは、ＵＥコンテキストの変更を要求するためのＵＥコンテキスト変更要求（ＵＥ  ｃｏｎｔｅｘｔ  ｍｏｄｉｆｉｃａｔｉｏｎ  ｒｅｑｕｅｓｔ）メッセージを含んでもよく、前記応答メッセージは、当該要求メッセージに応答するための対応するＵＥコンテキスト変更応答（ＵＥ  ｃｏｎｔｅｘｔ  ｍｏｄｉｆｉｃａｔｉｏｎ  ｒｅｓｐｏｎｓｅ）メッセージを含んでもよい。前記ＵＥコンテキスト変更要求メッセージと、前記対応するＵＥコンテキスト変更応答メッセージとは、前記分散型基地局装置の中央ユニットと分散ユニットとの間のインターフェースに固有のＡＰ（Ａｐｐｌｉｃａｔｉｏｎ  Ｐｒｏｔｏｃｏｌ：アプリケーションプロトコル）のメッセージであってもよい。前記ＵＥコンテキスト変更要求メッセージと、前記対応するＵＥコンテキスト変更応答メッセージとは、Ｆ１ＡＰのメッセージであってもよい。
【０１２３】
前記分散型基地局の分散ユニットに前記現在の分散ユニット構成を提供することを要求するための前記ＩＥは、ＤＵ構成照会（ＤＵ  ｃｏｎｆｉｇｕｒａｔｉｏｎ  ｑｕｅｒｙ）ＩＥを含んでもよい。
【０１２４】
前記分散型基地局の分散ユニットに前記現在の分散ユニット構成を提供することを要求するための前記ＩＥは、前記分散ユニットに前記現在の分散ユニット構成を提供することを要求するために「ｔｒｕｅ」に設定されている単一ビットＩＥであってもよい。
【０１２５】
前記第２のメッセージで受信された前記構成情報は、前記第２のメッセージ内の、分散ユニットから中央ユニットへの専用コンテナＩＥであるＤＵ‐ＣＵコンテナ（ＤＵ‐ｔｏ‐ＣＵ  ｃｏｎｔａｉｎｅｒ）ＩＥに含まれてもよい。前記第２のメッセージで受信された前記構成情報は、前記ＤＵ‐ＣＵコンテナＩＥ内の少なくとも１つの更なるＩＥに含まれてもよい。前記ＤＵ‐ＣＵコンテナＩＥ内の前記少なくとも１つの更なるＩＥは、セルグループ構成ＩＥと測定ギャップ構成ＩＥのうちの少なくとも１つを含んでもよい。前記第２のメッセージで受信された前記構成情報は、前記セルグループ構成情報と前記測定ギャップ構成情報のうちの少なくとも１つを含んでもよい。
【０１２６】
前記方法は、前記ＵＥコンテキストを更なる分散ユニットに変更することを決定することを更に含んでもよく、前記第１のメッセージの送信は前記決定に従って行われてもよい。
【０１２７】
前記方法は、前記分散型基地局装置でＵＥコンテキストを変更するための要求を更なる基地局装置から受信することを更に含んでもよく、前記第１のメッセージの送信は前記更なる基地局装置から前記要求を受信した後に行われてもよい。
【０１２８】
前記方法は、前記更なる基地局でデルタ構成シグナリングをサポートするために現在のセカンダリセルグループ構成を照会するための要求を前記更なる基地局装置から受信することを更に含んでもよい。
【０１２９】
前記更なる基地局装置は、第４世代４Ｇ標準に従って動作する４Ｇ基地局ｅＮＢを含んでもよい。
【０１３０】
前記方法は前記ＵＥにサーブする前記分散ユニットを変更する手順の一部として行われてもよく、前記第１のメッセージが送信される前記分散ユニットは、前記分散ユニットを変更する手順におけるソース分散ユニットであってもよく、前記更なる分散ユニットはターゲット分散ユニットであってもよい。
【０１３１】
前記方法は、前記分散型基地局の前記更なる分散ユニットに、前記受信した構成情報を含む第３のメッセージを送信することと、前記更なる分散ユニットから、前記更なる分散ユニットについての分散構成情報を含む第４のメッセージを受信することとを更に含んでもよく、前記更なる分散ユニットについての前記分散構成情報は、前記第３のメッセージで送信された前記構成情報と比較した前記構成情報の変化を表すデルタ構成情報を含んでもよい。前記第３のメッセージは、前記分散型基地局の前記更なる分散ユニットでＵＥコンテキストのセットアップを要求するためのＵＥコンテキストセットアップ要求（ＵＥ  ｃｏｎｔｅｘｔ  ｓｅｔｕｐ  ｒｅｑｕｅｓｔ）メッセージを含んでもよく、前記第４のメッセージは、対応するＵＥコンテキストセットアップ応答（ＵＥ  ｃｏｎｔｅｘｔ  ｓｅｔｕｐ  ｒｅｓｐｏｎｓｅ）メッセージを含んでもよい。
【０１３２】
前記分散型基地局装置はセカンダリ基地局装置であり、前記ＵＥにサーブする前記セカンダリ基地局装置に変更が必要であることを決定することを更に含んでもよく、前記第１のメッセージの送信は前記決定に従って行われてもよい。前記方法は、マスタ基地局装置に、セカンダリ基地局の変更が必要であることを示すメッセージを送信することを更に含んでもよく、当該メッセージは前記受信した構成情報を含んでもよい。
【０１３３】
前記分散型基地局装置は、第５世代５Ｇ標準に従って動作する５Ｇ基地局ｇＮＢを含んでもよい。
【０１３４】
種々の他の変更は、当業者にとって明らかであるため、ここでは更に詳細な説明は省略する。
【０１３５】
本出願は、２０１８年６月２２日出願の英国特許出願番号１８１０３３７．４に基づく優先権の利益を主張する。この開示の内容は、全てここに含めておく。
【図１】
2021528019.tif 000006
【図２】
2021528019.tif 000007
【図３】
2021528019.tif 000008
【図４】
2021528019.tif 000009
【図５】
2021528019.tif 000010
【図６】
2021528019.tif 000011
【図７】
2021528019.tif 000012
【図８】
2021528019.tif 000013
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
通信システムにおいて、ｇＮＢ−ＣＵ（ｇＮＢ  Ｃｅｎｔｒａｌ  Ｕｎｉｔ：ｇＮＢ中央ユニット）により行われる方法であって、
ｇＮＢ−ＤＵ（ｇＮＢ  Ｄｉｓｔｒｉｂｕｔｅｄ  Ｕｎｉｔ：ｇＮＢ分散ユニット）に、前記ｇＮＢ−ＤＵについての構成情報を提供することを前記ｇＮＢ−ＤＵに要求するために用いるｇＮＢ−ＤＵ構成照会（ｃｏｎｆｉｇｕｒａｔｉｏｎ  ｑｕｅｒｙ）ＩＥ（Ｉｎｆｏｒｍａｔｉｏｎ  Ｅｌｅｍｅｎｔ：情報要素）を含むＵＥ（Ｕｓｅｒ  Ｅｑｕｉｐｍｅｎｔ：ユーザ装置）コンテキスト変更要求（ＣＯＮＴＥＸＴ  ＭＯＤＩＦＩＣＡＴＩＯＮ  ＲＥＱＵＥＳＴ）メッセージを送信することと、
前記ｇＮＢ−ＤＵから、前記コンテキスト変更要求メッセージに応答して送信されるＵＥコンテキスト変更応答（ＵＥ  ＣＯＮＴＥＸＴ  ＭＯＤＩＦＩＣＡＴＩＯＮ  ＲＥＳＰＯＮＳＥ）メッセージ内における前記ｇＮＢ−ＤＵのセルグループ構成を含む構成情報を受信することと、を含む方法。
【請求項２】
前記ｇＮＢ−ＣＵは、前記ｇＮＢ−ＤＵから前記ｇＮＢ−ＣＵに送信されるＲＲＣ（Ｒａｄｉｏ  Ｒｅｓｏｕｒｃｅ  Ｃｏｎｔｒｏｌ：無線リソース制御）情報を含む前記ＵＥコンテキスト変更応答メッセージを受信する、請求項１記載の方法。
【請求項３】
前記ＲＲＣ情報は、セルグループを構成するために用いられるＣｅｌｌＧｒｏｕｐＣｏｎｆｉｇ  ＩＥを含むＤＵ−ＣＵ  ＲＲＣ情報（ＤＵ  ＴＯ  ＣＵ  ＲＲＣ  Ｉｎｆｏｒｍａｔｉｏｎ）ＩＥを含む、請求項２記載の方法。
【請求項４】
前記ｇＮＢ−ＣＵは、前記ＵＥコンテキスト変更応答メッセージに応答してＲＲＣ再構成を行う、請求項２又は３記載の方法。
【請求項５】
通信システムにおけるｇＮＢ−ＣＵ（ｇＮＢ  Ｃｅｎｔｒａｌ  Ｕｎｉｔ：ｇＮＢ中央ユニット）であって、
トランシーバと、コントローラとを備え、
前記コントローラは、前記トランシーバを、ｇＮＢ−ＤＵ（ｇＮＢ  Ｄｉｓｔｒｉｂｕｔｅｄ  Ｕｎｉｔ：ｇＮＢ分散ユニット）に、前記ｇＮＢ−ＤＵについての構成情報を提供することを前記ｇＮＢ−ＤＵに要求するために用いるｇＮＢ−ＤＵ構成照会（ｃｏｎｆｉｇｕｒａｔｉｏｎ  ｑｕｅｒｙ）ＩＥ（Ｉｎｆｏｒｍａｔｉｏｎ  Ｅｌｅｍｅｎｔ：情報要素）を含むＵＥ（Ｕｓｅｒ  Ｅｑｕｉｐｍｅｎｔ：ユーザ装置）コンテキスト変更要求（ＣＯＮＴＥＸＴ  ＭＯＤＩＦＩＣＡＴＩＯＮ  ＲＥＱＵＥＳＴ）メッセージを送信し、
前記ｇＮＢ−ＤＵから、前記ＵＥコンテキスト変更要求メッセージに応答して送信されるコンテキスト変更応答（ＣＯＮＴＥＸＴ  ＭＯＤＩＦＩＣＡＴＩＯＮ  ＲＥＳＰＯＮＳＥ）メッセージ内における前記ｇＮＢ−ＤＵのセルグループ構成を含む構成情報を受信するように制御する、ｇＮＢ−ＣＵ。
【手続補正２】
【補正対象書類名】明細書
【補正対象項目名】００６５
【補正方法】変更
【補正の内容】
【００６５】
分散ユニット５−２ａのＲＲＣモジュール４６８ａは、ｇＮＢ５−２のＲＲＣレイヤ機能及びＵＥ３との対応のＲＲＣ通信の制御を（通信制御モジュール４６３ａの全体的な制御下で）担う。
【国際調査報告】
2021528019.tif 000014
2021528019.tif 000015
2021528019.tif 000016